(57)【要約】  【課題】パーソナルコンピュータ（情報処理端末）を用いて行われるプログラムによるサーバへの接続を支援すること。  【解決手段】本発明の接続支援システムは、接続支援サーバ（２）と、ネットワーク（４）を介して接続支援サーバ（２）と通信可能な情報処理端末（１−ｉ；ｉ＝１、２、…、ｍ；ｍは１以上の整数）とを具備する。情報処理端末（１−ｉ）は、不正なアクセスを防御するファイアーウォールと、ネットワーク（４）を介してサーバ（３）と通信可能なプログラムが格納されたメモリと、表示部とを具備する。ファイアーウォールは、上記プログラムを実行するための実行要求に応じて、検索要求を接続支援サーバ（２）に送信し、接続支援サーバ（２）は、検索要求に応じて、検索結果を情報処理端末（１−ｉ）に送信する。検索結果は、上記プログラムによるサーバ（３）への接続の可否に関する接続可否数を含む。ファイアーウォールは、検索結果に応じて、画面を表示部に表示する。画面は、接続可否数を表す検索結果画面を含む。  【選択図】図１
2005107663.tif 000002
【特許請求の範囲】
【請求項１】
接続支援サーバと、
ネットワークを介して前記接続支援サーバと通信可能な情報処理端末とを具備し、
前記情報処理端末は、
不正なアクセスを防御するファイアーウォールと、
前記ネットワークを介してサーバと通信可能なプログラムが格納されたメモリと、
表示部とを具備し、
前記ファイアーウォールは、前記プログラムを実行するための実行要求に応じて、前記プログラムに関するプログラム関連情報を含む検索要求を前記接続支援サーバに送信し、
前記接続支援サーバは、
前記プログラム関連情報と前記プログラムによる前記サーバへの接続の可否に関する接続可否数とが格納されたデータベースと、
前記検索要求に応じて、前記データベースを参照し、前記接続可否数を含む検索結果を前記情報処理端末に送信する検索部とを具備し、
前記ファイアーウォールは、前記接続支援サーバからの前記検索結果に応じて、画面を前記表示部に表示し、
前記画面は、前記接続可否数を表す検索結果画面を含む
接続支援システム。
【請求項２】
前記接続可否数は、前記プログラムによる前記サーバへの接続を許可した端末の数を表す許可数と、前記接続を不許可した端末の数を表す不許可数とを含む
請求項１に記載された接続支援システム。
【請求項３】
前記情報処理端末は、更に、通信部を具備し、
前記メモリには、更に、設定情報又は未設定情報を表す接続設定情報が前記プログラムに対応付けられて格納され、
前記設定情報は、前記接続を許可する許可情報と、前記接続を許可しない不許可情報とのいずれか１つを表し、
前記ファイアーウォールは、前記実行要求に応じて、前記メモリを参照し、
前記接続設定情報が前記許可情報を表す場合、前記通信部が前記プログラムにより前記サーバと通信するように前記通信部を制御し、
前記接続設定情報が前記未設定情報を表す場合、前記検索要求を前記接続支援サーバに送信する
請求項２に記載された接続支援システム。
【請求項４】
前記画面は、更に、前記プログラムによる前記サーバへの接続の可否を決定するための操作画面を含み、
前記操作画面は、前記情報処理端末のユーザが前記接続を許可するための許可操作部分と、前記情報処理端末のユーザが前記接続を不許可するための不許可操作部分とを含み、
前記情報処理端末のユーザが前記許可操作部分を操作したとき、前記検索部は、前記データベースに格納された前記許可数に１を加算し、前記ファイアーウォールは、前記未設定情報に代えて前記許可情報を前記プログラムに対応付けて前記メモリに格納し、
前記情報処理端末のユーザが前記不許可操作部分を操作したとき、前記検索部は、前記データベースに格納された前記不許可数に１を加算し、前記ファイアーウォールは、前記未設定情報に代えて前記不許可情報を前記プログラムに対応付けて前記メモリに格納する
請求項３に記載された接続支援システム。
【請求項５】
前記接続可否数は、更に、前記接続を行う毎にユーザに問い合わせる端末の数を表す毎回問合数を含み、
前記設定情報は、前記許可情報と、前記不許可情報と、前記接続を行う毎にユーザに問い合わせる毎回問合情報とのいずれか１つを表し、
前記操作画面は、更に、前記情報処理端末のユーザが前記接続を毎回問い合わせるようにするための毎回問合操作部分を含み、
前記情報処理端末のユーザが前記毎回問合操作部分を操作したとき、前記検索部は、前記データベースに格納された前記毎回問合数に１を加算し、前記ファイアーウォールは、前記未設定情報に代えて前記毎回問合情報を前記プログラムに対応付けて前記メモリに格納し、
前記ファイアーウォールは、前記実行要求に応じて、前記メモリを参照し、前記接続設定情報が前記毎回問合情報を表す場合、前記通信部が前記情報処理端末のユーザに問い合わせてから前記プログラムにより前記サーバと通信するように前記通信部を制御する
請求項４に記載された接続支援システム。
【請求項６】
接続支援サーバと、
ネットワークを介して前記接続支援サーバと通信可能な情報処理端末とを具備し、
前記情報処理端末は、
不正なアクセスを防御するファイアーウォールと、
前記ネットワークを介してサーバと通信可能な複数プログラムとユーザを識別するユーザ識別子とが格納されたメモリと、
表示部とを具備し、
前記ファイアーウォールは、前記複数プログラムのうちの第１プログラムを実行するための実行要求に応じて、前記複数プログラムに関する複数プログラム関連情報と前記ユーザ識別子とを含む検索要求を前記接続支援サーバに送信し、前記複数プログラム関連情報は、前記第１プログラムに関する第１プログラム関連情報を含み、
前記接続支援サーバは、
検索用ユーザ識別子と検索用プログラム関連情報とプログラムによる前記サーバへの接続の可否に関する設定情報とが前記プログラム毎に対応付けられて格納された複数のデータベースと、
前記検索要求に応じて、前記複数のデータベースのうち、前記ユーザ識別子が格納された第１データベース以外の第２データベースを参照し、前記複数の検索用プログラム関連情報の中から、前記複数プログラム関連情報と一致する検索用プログラム関連情報を検索し、前記一致する検索用プログラム関連情報に含まれる前記第１プログラム関連情報に対応付けられた前記設定情報を検索して検索結果を前記情報処理端末に送信する検索部とを具備し、
前記ファイアーウォールは、前記接続支援サーバからの前記検索結果に応じて、画面を前記表示部に表示し、
前記検索結果は、前記設定情報の数を表す接続可否数を含み、
前記画面は、前記接続可否数を表す検索結果画面を含む
接続支援システム。
【請求項７】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項６に記載された接続支援システム。
【請求項８】
前記情報処理端末は、更に、通信部を具備し、
前記メモリには、更に、前記設定情報又は未設定情報を表す接続設定情報が前記複数プログラムに対応付けられて格納され、
前記ファイアーウォールは、前記実行要求に応じて、前記メモリを参照し、
前記第１プログラムに対応付けられた前記接続設定情報が前記許可情報を表す場合、前記通信部が前記第１プログラムにより前記サーバと通信するように前記通信部を制御し、
前記第１プログラムに対応付けられた前記接続設定情報が前記未設定情報を表す場合、前記検索要求を前記接続支援サーバに送信する
請求項７に記載された接続支援システム。
【請求項９】
前記画面は、更に、前記第１プログラムによる前記サーバへの接続の可否を決定するための操作画面を含み、
前記操作画面は、前記情報処理端末のユーザが前記第１プログラムによる前記接続を許可するための許可操作部分と、前記情報処理端末のユーザが前記第１プログラムによる前記接続を不許可するための不許可操作部分とを含み、
前記情報処理端末のユーザが前記許可操作部分を操作したとき、前記検索部は、前記第１プログラム関連情報と前記許可情報とを前記第１データベースに格納し、前記ファイアーウォールは、前記未設定情報に代えて前記許可情報を前記第１プログラムに対応付けて前記メモリに格納し、
前記情報処理端末のユーザが前記不許可操作部分を操作したとき、前記検索部は、前記第１プログラム関連情報と前記不許可情報とを前記第１データベースに格納し、前記ファイアーウォールは、前記未設定情報に代えて前記不許可情報を前記第１プログラムに対応付けて前記メモリに格納する
請求項８に記載された接続支援システム。
【請求項１０】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記情報処理端末のユーザが前記接続を毎回問い合わせるようにするための毎回問合操作部分を含み、
前記情報処理端末のユーザが前記毎回問合操作部分を操作したとき、前記検索部は、前記第１プログラム関連情報と前記毎回問合情報とを前記第１データベースに格納し、前記ファイアーウォールは、前記未設定情報に代えて前記毎回問合情報を前記第１プログラムに対応付けて前記メモリに格納し、
前記ファイアーウォールは、前記実行要求に応じて、前記メモリを参照し、前記第１プログラムに対応付けられた前記接続設定情報が前記毎回問合情報を表す場合、前記通信部が前記情報処理端末のユーザに問い合わせてから前記第１プログラムにより前記サーバと通信するように前記通信部を制御する
請求項９に記載された接続支援システム。
【請求項１１】
ネットワークを介して互いに通信可能な複数情報処理端末を具備し、
前記複数情報処理端末の各々は、
不正なアクセスを防御するファイアーウォールと、
前記ネットワークを介してサーバと通信可能なプログラムと設定情報又は未設定情報を表す接続設定情報とが対応付けられて格納されたメモリと、
表示部とを具備し、
前記設定情報は、前記プログラムによる前記サーバへの接続の可否に関する情報であり、
前記複数情報処理端末のうちの第１情報処理端末の前記ファイアーウォールは、前記プログラムを実行するための実行要求に応じて、前記第１情報処理端末の前記メモリを参照し、前記接続設定情報が前記未設定情報を表す場合、前記プログラムに関するプログラム関連情報を含む検索要求を前記複数情報処理端末のうちの前記第１情報処理端末以外の第２情報処理端末に送信し、
前記第２情報処理端末の各々の前記ファイアーウォールは、前記検索要求に応じて、前記第２情報処理端末の各々の前記メモリを参照し、前記プログラムに対応する前記設定情報を検索して検索結果を前記第１情報処理端末に送信し、
前記第１情報処理端末の前記ファイアーウォールは、前記第２情報処理端末の各々からの検索結果に応じて、画面を前記第１情報処理端末の前記表示部に表示し、
前記検索結果は、前記設定情報の数を表す接続可否数を含み、
前記画面は、前記接続可否数を表す検索結果画面を含む
接続支援システム。
【請求項１２】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項１１に記載された接続支援システム。
【請求項１３】
前記複数情報処理端末の各々は、更に、通信部を具備し、
前記第１情報処理端末の前記ファイアーウォールは、前記実行要求に応じて、前記第１情報処理端末の前記メモリを参照し、前記接続設定情報が前記許可情報を表す場合、前記第１情報処理端末の前記通信部が前記プログラムにより前記サーバと通信するように前記第１情報処理端末の前記通信部を制御する
請求項１２に記載された接続支援システム。
【請求項１４】
前記画面は、更に、前記プログラムによる前記サーバへの接続の可否を決定するための操作画面を含み、
前記操作画面は、前記第１情報処理端末のユーザが前記接続を許可するための許可操作部分と、前記第１情報処理端末のユーザが前記接続を不許可するための不許可操作部分とを含み、
前記第１情報処理端末のユーザが前記許可操作部分を操作したとき、前記第１情報処理端末の前記ファイアーウォールは、前記未設定情報に代えて前記許可情報を前記プログラムに対応付けて前記第１情報処理端末の前記メモリに格納し、
前記第１情報処理端末のユーザが前記不許可操作部分を操作したとき、前記第１情報処理端末の前記ファイアーウォールは、前記未設定情報に代えて前記不許可情報を前記プログラムに対応付けて前記第１情報処理端末の前記メモリに格納する
請求項１３に記載された接続支援システム。
【請求項１５】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記第１情報処理端末のユーザが前記接続を毎回問い合わせるようにするための毎回問合操作部分を含み、
前記第１情報処理端末のユーザが前記毎回問合操作部分を操作したとき、前記第１情報処理端末の前記ファイアーウォールは、前記未設定情報に代えて前記毎回問合情報を前記プログラムに対応付けて前記第１情報処理端末の前記メモリに格納し、
前記第１情報処理端末の前記ファイアーウォールは、前記実行要求に応じて、前記第１情報処理端末の前記メモリを参照し、前記接続設定情報が前記毎回問合情報を表す場合、前記第１情報処理端末の前記通信部が前記第１情報処理端末のユーザに問い合わせてから前記プログラムにより前記サーバと通信するように前記第１情報処理端末の前記通信部を制御する
請求項１４に記載された接続支援システム。
【請求項１６】
前記ファイアーウォールは、前記許可数と所定数とを比較し、
前記画面は、更に、前記許可数と前記所定数との比較結果を表す判定画面を含む
請求項２〜４、７〜９、１２〜１４のいずれか１つに記載された接続支援システム。
【請求項１７】
前記ファイアーウォールは、前記許可数と前記毎回問合数とを加算して加算結果を生成し、前記加算結果と所定数とを比較し、
前記画面は、更に、前記加算結果と前記所定数との比較結果を表す判定画面を含む
請求項５、１０、１５のいずれか１つに記載された接続支援システム。
【請求項１８】
データベースを備えた接続支援サーバとネットワークを介して通信可能な情報処理端末であって、
不正なアクセスを防御するファイアーウォールと、
前記ネットワークを介してサーバと通信可能なプログラムが格納されたメモリと、
表示部とを具備し、
前記ファイアーウォールは、前記プログラムを実行するための実行要求に応じて、前記プログラムに関するプログラム関連情報を含む検索要求を前記接続支援サーバに送信し、
前記データベースには、前記プログラム関連情報と前記プログラムによる前記サーバへの接続の可否に関する接続可否数とが格納され、
前記接続支援サーバは、前記検索要求に応じて、前記データベースを参照し、前記接続可否数を含む検索結果を前記情報処理端末に送信し、
前記ファイアーウォールは、前記検索結果に応じて、画面を前記表示部に表示し、
前記画面は、前記接続可否数を表す検索結果画面を含む
情報処理端末。
【請求項１９】
前記接続可否数は、前記プログラムによる前記サーバへの接続を許可した端末の数を表す許可数と、前記接続を不許可した端末の数を表す不許可数とを含む
請求項１８に記載された情報処理端末。
【請求項２０】
更に、通信部を具備し、
前記メモリには、更に、設定情報又は未設定情報を表す接続設定情報が前記プログラムに対応付けられて格納され、
前記設定情報は、前記接続を許可する許可情報と、前記接続を許可しない不許可情報とのいずれか１つを表し、
前記ファイアーウォールは、前記実行要求に応じて、前記メモリを参照し、
前記接続設定情報が前記許可情報を表す場合、前記通信部が前記プログラムにより前記サーバと通信するように前記通信部を制御し、
前記接続設定情報が前記未設定情報を表す場合、前記検索要求を前記接続支援サーバに送信する
請求項１９に記載された情報処理端末。
【請求項２１】
前記画面は、更に、前記プログラムによる前記サーバへの接続の可否を決定するための操作画面を含み、
前記操作画面は、前記情報処理端末のユーザが前記接続を許可するための許可操作部分と、前記情報処理端末のユーザが前記接続を不許可するための不許可操作部分とを含み、
前記情報処理端末のユーザが前記許可操作部分を操作したとき、前記ファイアーウォールは、前記未設定情報に代えて前記許可情報を前記プログラムに対応付けて前記メモリに格納し、前記データベースに格納された前記許可数に１を加算するための許可指示を前記接続支援サーバに送信し、
前記情報処理端末のユーザが前記不許可操作部分を操作したとき、前記ファイアーウォールは、前記未設定情報に代えて前記不許可情報を前記プログラムに対応付けて前記メモリに格納し、前記データベースに格納された前記不許可数に１を加算するための不許可指示を前記接続支援サーバに送信する
請求項２０に記載された情報処理端末。
【請求項２２】
前記接続可否数は、更に、前記接続を行う毎にユーザに問い合わせる端末の数を表す毎回問合数を含み、
前記設定情報は、前記許可情報と、前記不許可情報と、前記接続を行う毎にユーザに問い合わせる毎回問合情報とのいずれか１つを表し、
前記操作画面は、更に、前記情報処理端末のユーザが前記接続を毎回問い合わせるようにするための毎回問合操作部分を含み、
前記情報処理端末のユーザが前記毎回問合操作部分を操作したとき、前記ファイアーウォールは、前記未設定情報に代えて前記毎回問合情報を前記プログラムに対応付けて前記メモリに格納し、前記データベースに格納された前記毎回問合数に１を加算するための毎回問合指示を前記接続支援サーバに送信し、
前記ファイアーウォールは、前記実行要求に応じて、前記メモリを参照し、前記接続設定情報が前記毎回問合情報を表す場合、前記通信部が前記情報処理端末のユーザに問い合わせてから前記プログラムにより前記サーバと通信するように前記通信部を制御する
請求項２１に記載された情報処理端末。
【請求項２３】
複数のデータベースを備えた接続支援サーバとネットワークを介して通信可能な情報処理端末であって、
不正なアクセスを防御するファイアーウォールと、
前記ネットワークを介してサーバと通信可能な複数プログラムとユーザを識別するユーザ識別子とが格納されたメモリと、
表示部とを具備し、
前記ファイアーウォールは、前記複数プログラムのうちの第１プログラムを実行するための実行要求に応じて、前記複数プログラムに関する複数プログラム関連情報と前記ユーザ識別子とを含む検索要求を前記接続支援サーバに送信し、
前記複数プログラム関連情報は、前記第１プログラムに関する第１プログラム関連情報を含み、
前記複数のデータベースの各々には、検索用ユーザ識別子と検索用プログラム関連情報とプログラムによる前記サーバへの接続の可否に関する設定情報とが前記プログラム毎に対応付けられて格納され、
前記接続支援サーバは、前記検索要求に応じて、前記複数のデータベースのうち、前記ユーザ識別子が格納された第１データベース以外の第２データベースを参照し、前記複数の検索用プログラム関連情報の中から、前記複数プログラム関連情報と一致する検索用プログラム関連情報を検索し、前記一致する検索用プログラム関連情報に含まれる前記第１プログラム関連情報に対応付けられた前記設定情報を検索して検索結果を前記情報処理端末に送信し、
前記ファイアーウォールは、前記検索結果に応じて、画面を前記表示部に表示し、
前記検索結果は、前記設定情報の数を表す接続可否数を含み、
前記画面は、前記接続可否数を表す検索結果画面を含む
情報処理端末。
【請求項２４】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項２３に記載された情報処理端末。
【請求項２５】
更に、通信部を具備し、
前記メモリには、更に、前記設定情報又は前記未設定情報を表す接続設定情報が前記複数プログラムに対応付けられて格納され、
前記ファイアーウォールは、前記実行要求に応じて、前記メモリを参照し、
前記第１プログラムに対応付けられた前記接続設定情報が前記許可情報を表す場合、前記通信部が前記プログラムにより前記サーバと通信するように前記通信部を制御し、
前記第１プログラムに対応付けられた前記接続設定情報が前記未設定情報を表す場合、前記検索要求を前記接続支援サーバに送信する
請求項２４に記載された情報処理端末。
【請求項２６】
前記画面は、更に、前記第１プログラムによる前記サーバへの接続の可否を決定するための操作画面を含み、
前記操作画面は、前記情報処理端末のユーザが前記第１プログラムによる前記接続を許可するための許可操作部分と、前記情報処理端末のユーザが前記第１プログラムによる前記接続を不許可するための不許可操作部分と、前記情報処理端末のユーザが前記第１プログラムによる前記接続を毎回問い合わせるようにするための毎回問合操作部分とを含み、
前記情報処理端末のユーザが前記許可操作部分を操作したとき、前記ファイアーウォールは、前記未設定情報に代えて前記許可情報を前記第１プログラムに対応付けて前記メモリに格納し、前記第１プログラム関連情報と前記許可情報とを前記第１データベースに格納するための許可指示を前記接続支援サーバに送信し、
前記情報処理端末のユーザが前記不許可操作部分を操作したとき、前記ファイアーウォールは、前記未設定情報に代えて前記不許可情報を前記第１プログラムに対応付けて前記メモリに格納し、前記第１プログラム関連情報と前記不許可情報とを前記第１データベースに格納するための不許可指示を前記接続支援サーバに送信する
請求項２５に記載された情報処理端末。
【請求項２７】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記情報処理端末のユーザが前記接続を毎回問い合わせるようにするための毎回問合操作部分を含み、
前記情報処理端末のユーザが前記毎回問合操作部分を操作したとき、前記ファイアーウォールは、前記未設定情報に代えて前記毎回問合情報を前記第１プログラムに対応付けて前記メモリに格納し、前記第１プログラム関連情報と前記毎回問合情報とを前記第１データベースに格納するための毎回問合指示を前記接続支援サーバに送信し、
前記ファイアーウォールは、前記実行要求に応じて、前記メモリを参照し、前記第１プログラムに対応付けられた前記接続設定情報が前記毎回問合情報を表す場合、前記通信部が前記情報処理端末のユーザに問い合わせてから前記プログラムにより前記サーバと通信するように前記通信部を制御する
請求項２６に記載された情報処理端末。
【請求項２８】
ネットワークを介して互いに通信可能な情報処理端末であって、
不正なアクセスを防御するファイアーウォールと、
前記ネットワークを介してサーバと通信可能なプログラムと設定情報又は未設定情報を表す接続設定情報とが対応付けられて格納されたメモリと、
表示部とを具備し、
前記設定情報は、前記プログラムによる前記サーバへの接続の可否に関する情報であり、
前記ファイアーウォールは、前記プログラムを実行するための実行要求に応じて、前記メモリを参照し、前記接続設定情報が前記未設定情報を表す場合、前記プログラムに関するプログラム関連情報を含む検索要求を他の前記情報処理端末に送信し、
前記他の情報処理端末の各々は、前記検索要求に応じて、前記他の情報処理端末の各々の前記メモリを参照し、前記プログラムに対応する前記設定情報を検索して検索結果を前記情報処理端末に送信し、
前記ファイアーウォールは、前記他の情報処理端末の各々からの前記検索結果に応じて、画面を前記表示部に表示し、
前記検索結果は、前記設定情報の数を表す接続可否数を含み、
前記画面は、前記接続可否数を表す検索結果画面を含む
情報処理端末。
【請求項２９】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項２８に記載された情報処理端末。
【請求項３０】
更に、通信部を具備し、
前記ファイアーウォールは、前記実行要求に応じて、前記メモリを参照し、
前記接続設定情報が前記許可情報を表す場合、前記通信部が前記プログラムにより前記サーバと通信するように前記通信部を制御する
請求項２９に記載された情報処理端末。
【請求項３１】
前記画面は、更に、前記プログラムによる前記サーバへの接続の可否を決定するための操作画面を含み、
前記操作画面は、前記情報処理端末のユーザが前記接続を許可するための許可操作部分と、前記情報処理端末のユーザが前記接続を不許可するための不許可操作部分とを含み、
前記情報処理端末のユーザが前記許可操作部分を操作したとき、前記ファイアーウォールは、前記未設定情報に代えて前記許可情報を前記プログラムに対応付けて前記メモリに格納し、
前記情報処理端末のユーザが前記不許可操作部分を操作したとき、前記ファイアーウォールは、前記未設定情報に代えて前記不許可情報を前記プログラムに対応付けて前記メモリに格納する
請求項３０に記載された情報処理端末。
【請求項３２】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記情報処理端末のユーザが前記接続を毎回問い合わせるようにするための毎回問合操作部分を含み、
前記情報処理端末のユーザが前記毎回問合操作部分を操作したとき、前記ファイアーウォールは、前記未設定情報に代えて前記毎回問合情報を前記プログラムに対応付けて前記メモリに格納し、
前記ファイアーウォールは、前記実行要求に応じて、前記メモリを参照し、前記接続設定情報が前記毎回問合情報を表す場合、前記通信部が前記情報処理端末のユーザに問い合わせてから前記プログラムにより前記サーバと通信するように前記通信部を制御する
請求項３１に記載された情報処理端末。
【請求項３３】
前記ファイアーウォールは、前記許可数と所定数とを比較し、
前記画面は、更に、前記許可数と前記所定数との比較結果を表す判定画面を含む
請求項１９〜２１、２４〜２６、２９〜３１のいずれか１つに記載された情報処理端末。
【請求項３４】
前記ファイアーウォールは、前記許可数と前記毎回問合数とを加算して加算結果を生成し、前記加算結果と所定数とを比較し、
前記画面は、更に、前記加算結果と前記所定数との比較結果を表す判定画面を含む
請求項２２、２７、３２のいずれか１つに記載された情報処理端末。
【請求項３５】
不正なアクセスを防御するファイアーウォールと、前記ネットワークを介してサーバと通信可能なプログラムが格納されたメモリと、表示部とを具備する情報処理端末とネットワークを介して通信可能な接続支援サーバであって、
前記プログラムに関するプログラム関連情報を含む検索要求を前記情報処理端末から受信する受信部と、
前記プログラム関連情報と前記プログラムによる前記サーバへの接続の可否に関する接続可否数とが格納されたデータベースと、
前記検索要求に応じて、前記データベースを参照し、前記接続可否数を含む検索結果を前記情報処理端末に送信する検索部とを具備し、
前記情報処理端末の前記表示部には、前記接続可否数を表す画面が表示される
接続支援サーバ。
【請求項３６】
前記接続可否数は、前記プログラムによる前記サーバへの接続を許可した端末の数を表す許可数と、前記接続を不許可した端末の数を表す不許可数とを含む
請求項３５に記載された接続支援サーバ。
【請求項３７】
前記情報処理端末のユーザが前記画面を操作して前記接続を許可したとき、前記検索部は、前記データベースに格納された前記許可数に１を加算し、
前記情報処理端末のユーザが前記画面を操作して前記接続を不許可したとき、前記検索部は、前記データベースに格納された前記不許可数に１を加算する
請求項３６に記載された接続支援サーバ。
【請求項３８】
前記接続可否数は、更に、前記接続を行う毎にユーザに問い合わせる端末の数を表す毎回問合数を含み、
前記情報処理端末のユーザが前記画面を操作して前記接続を毎回問い合わせるようにしたとき、前記検索部は、前記データベースに格納された前記毎回問合数に１を加算する
請求項３７に記載された接続支援サーバ。
【請求項３９】
不正なアクセスを防御するファイアーウォールと、前記ネットワークを介してサーバと通信可能な複数プログラムが格納されたメモリと、表示部とを具備する情報処理端末とネットワークを介して通信可能な接続支援サーバであって、
前記複数プログラムに関する複数プログラム関連情報とユーザ識別子とを含む検索要求を前記情報処理端末から受信する受信部と、前記複数プログラム関連情報は、第１プログラムに関する第１プログラム関連情報を含み、
検索用ユーザ識別子と検索用プログラム関連情報とプログラムによる前記サーバへの接続の可否に関する設定情報とが前記プログラム毎に対応付けられて格納された複数のデータベースと、
前記検索要求に応じて、前記複数のデータベースのうち、前記ユーザ識別子が格納された第１データベース以外の第２データベースを参照し、前記複数の検索用プログラム関連情報の中から、前記複数プログラム関連情報と一致する検索用プログラム関連情報を検索し、前記一致する検索用プログラム関連情報に含まれる前記第１プログラム関連情報に対応付けられた前記設定情報を検索して検索結果を前記情報処理端末に送信する検索部とを具備し、
前記検索結果は、前記設定情報の数を表す接続可否数を含み、
前記情報処理端末の表示部には、前記接続可否数を表す画面が表示される
接続支援サーバ。
【請求項４０】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項３９に記載された接続支援サーバ。
【請求項４１】
前記情報処理端末のユーザが前記画面を操作して前記接続を許可したとき、前記検索部は、前記第１プログラム関連情報と前記許可フラグとを前記第１データベースに格納し、
前記情報処理端末のユーザが前記画面を操作して前記接続を不許可したとき、前記検索部は、前記第１プログラム関連情報と前記不許可フラグとを前記第１データベースに格納する
請求項４０に記載された接続支援サーバ。
【請求項４２】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記情報処理端末のユーザが前記画面を操作して前記接続を毎回問い合わせるようしたとき、前記検索部は、前記第１プログラム関連情報と前記毎回問合フラグとを前記第１データベースに格納する
請求項４１に記載された接続支援サーバ。
【請求項４３】
データベースを備えた接続支援サーバとネットワークを介して通信可能であり、不正なアクセスを防御するファイアーウォールと、前記ネットワークを介してサーバと通信可能なプログラムが格納されたメモリと、表示部とを具備する情報処理端末を用いて、前記プログラムによる前記サーバへの接続を支援する方法であって、
（ａ）前記ファイアーウォールが、前記プログラムを実行するための実行要求に応じて、前記プログラムに関するプログラム関連情報を含む検索要求を前記接続支援サーバに送信するステップと、前記データベースには、前記プログラム関連情報と前記プログラムによる前記サーバへの接続の可否に関する接続可否数とが格納され、前記接続支援サーバは、前記検索要求に応じて、前記データベースを参照し、前記接続可否数を含む検索結果を前記情報処理端末に送信し、
（ｂ）前記ファイアーウォールが、前記検索結果に応じて、画面を前記表示部に表示するステップとを具備し、
前記画面は、前記接続可否数を表す検索結果画面を含む
接続支援方法。
【請求項４４】
前記接続可否数は、前記プログラムによる前記サーバへの接続を許可した端末の数を表す許可数と、前記接続を不許可した端末の数を表す不許可数とを含む
請求項４３に記載された接続支援方法。
【請求項４５】
前記情報処理端末は、更に、通信部を具備し、
前記メモリには、更に、設定情報又は未設定情報を表す接続設定情報が前記プログラムに対応付けられて格納され、
前記設定情報は、前記接続を許可する許可情報と、前記接続を許可しない不許可情報とのいずれか１つを表し、
前記（ａ）ステップは、前記ファイアーウォールが、前記実行要求に応じて、前記メモリを参照し、
前記接続設定情報が前記許可情報を表す場合、前記通信部が前記プログラムにより前記サーバと通信するように前記通信部を制御するステップと、
前記接続設定情報が前記未設定情報を表す場合、前記検索要求を前記接続支援サーバに送信するステップとを含む
請求項４４に記載された接続支援方法。
【請求項４６】
前記画面は、更に、前記プログラムによる前記サーバへの接続の可否を決定するための操作画面を含み、
前記操作画面は、前記情報処理端末のユーザが前記接続を許可するための許可操作部分と、前記情報処理端末のユーザが前記接続を不許可するための不許可操作部分とを含み、
前記（ｂ）ステップは、
前記情報処理端末のユーザが前記許可操作部分を操作したとき、前記ファイアーウォールが、前記未設定情報に代えて前記許可情報を前記プログラムに対応付けて前記メモリに格納し、前記データベースに格納された前記許可数に１を加算するための許可指示を前記接続支援サーバに送信するステップと、
前記情報処理端末のユーザが前記不許可操作部分を操作したとき、前記ファイアーウォールが、前記未設定情報に代えて前記不許可情報を前記プログラムに対応付けて前記メモリに格納し、前記データベースに格納された前記不許可数に１を加算するための不許可指示を前記接続支援サーバに送信するステップとを含む
請求項４５に記載された接続支援方法。
【請求項４７】
前記接続可否数は、更に、前記接続を行う毎にユーザに問い合わせる端末の数を表す毎回問合数を含み、
前記設定情報は、前記許可情報と、前記不許可情報と、前記接続を行う毎にユーザに問い合わせる毎回問合情報とのいずれか１つを表し、
前記操作画面は、更に、前記情報処理端末のユーザが前記接続を毎回問い合わせるようにするための毎回問合操作部分を含み、
前記（ｂ）ステップは、
前記情報処理端末のユーザが前記毎回問合操作部分を操作したとき、前記ファイアーウォールが、前記未設定情報に代えて前記毎回問合情報を前記プログラムに対応付けて前記メモリに格納し、前記データベースに格納された前記毎回問合数に１を加算するための毎回問合指示を前記接続支援サーバに送信するステップを含み、
前記（ａ）ステップは、前記ファイアーウォールが、前記実行要求に応じて、前記メモリを参照し、
前記接続設定情報が前記毎回問合情報を表す場合、前記通信部が前記情報処理端末のユーザに問い合わせてから前記プログラムにより前記サーバと通信するように前記通信部を制御するステップを含む
請求項４６に記載された接続支援方法。
【請求項４８】
複数のデータベースを備えた接続支援サーバとネットワークを介して通信可能であり、不正なアクセスを防御するファイアーウォールと、前記ネットワークを介してサーバと通信可能な複数プログラムとユーザを識別するユーザ識別子とが格納されたメモリと、表示部とを具備する情報処理端末を用いて、前記複数プログラムのうちの第１プログラムによる前記サーバへの接続を支援する方法であって、
（ａ）前記ファイアーウォールが、前記第１プログラムを実行するための実行要求に応じて、前記複数プログラムに関する複数プログラム関連情報と前記ユーザ識別子とを含む検索要求を前記接続支援サーバに送信するステップと、前記複数プログラム関連情報は、前記第１プログラムに関する第１プログラム関連情報を含み、前記複数のデータベースの各々には、検索用ユーザ識別子と検索用プログラム関連情報とプログラムによる前記サーバへの接続の可否に関する設定情報とが前記プログラム毎に対応付けられて格納され、前記接続支援サーバは、前記検索要求に応じて、前記複数のデータベースのうち、前記ユーザ識別子が格納された第１データベース以外の第２データベースを参照し、前記複数の検索用プログラム関連情報の中から、前記複数プログラム関連情報と一致する検索用プログラム関連情報を検索し、前記一致する検索用プログラム関連情報に含まれる前記第１プログラム関連情報に対応付けられた前記設定情報を検索して検索結果を前記情報処理端末に送信し、
（ｂ）前記ファイアーウォールが、前記検索結果に応じて、画面を前記表示部に表示するステップとを具備し、
前記検索結果は、前記設定情報の数を表す接続可否数を含み、
前記画面は、前記接続可否数を表す検索結果画面を含む
接続支援方法。
【請求項４９】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項４８に記載された接続支援方法。
【請求項５０】
前記情報処理端末は、更に、通信部を具備し、
前記メモリには、更に、前記設定情報又は前記未設定情報を表す接続設定情報が前記複数プログラムに対応付けられて格納され、
前記（ａ）ステップは、前記ファイアーウォールが、前記実行要求に応じて、前記メモリを参照し、
前記第１プログラムに対応付けられた前記接続設定情報が前記許可情報を表す場合、前記通信部が前記プログラムにより前記サーバと通信するように前記通信部を制御するステップと、
前記第１プログラムに対応付けられた前記接続設定情報が前記未設定情報を表す場合、前記検索要求を前記接続支援サーバに送信するステップとを含む
請求項４９に記載された接続支援方法。
【請求項５１】
前記画面は、更に、前記第１プログラムによる前記サーバへの接続の可否を決定するための操作画面を含み、
前記操作画面は、前記情報処理端末のユーザが前記第１プログラムによる前記接続を許可するための許可操作部分と、前記情報処理端末のユーザが前記第１プログラムによる前記接続を不許可するための不許可操作部分とを含み、
前記（ｂ）ステップは、
前記情報処理端末のユーザが前記許可操作部分を操作したとき、前記ファイアーウォールが、前記未設定情報に代えて前記許可情報を前記第１プログラムに対応付けて前記メモリに格納し、前記第１プログラム関連情報と前記許可情報とを前記第１データベースに格納するための許可指示を前記接続支援サーバに送信するステップと、
前記情報処理端末のユーザが前記不許可操作部分を操作したとき、前記ファイアーウォールが、前記未設定情報に代えて前記不許可情報を前記第１プログラムに対応付けて前記メモリに格納し、前記第１プログラム関連情報と前記不許可情報とを前記第１データベースに格納するための不許可指示を前記接続支援サーバに送信するステップとを含む
請求項５０に記載された接続支援方法。
【請求項５２】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記情報処理端末のユーザが前記接続を毎回問い合わせるようにするための毎回問合操作部分を含み、
前記（ｂ）ステップは、
前記情報処理端末のユーザが前記毎回問合操作部分を操作したとき、前記ファイアーウォールが、前記未設定情報に代えて前記毎回問合情報を前記第１プログラムに対応付けて前記メモリに格納し、前記第１プログラム関連情報と前記毎回問合情報とを前記第１データベースに格納するための毎回問合指示を前記接続支援サーバに送信するステップを含み、
前記（ａ）ステップは、前記ファイアーウォールが、前記実行要求に応じて、前記メモリを参照し、
前記第１プログラムに対応付けられた前記接続設定情報が前記毎回問合情報を表す場合、前記通信部が前記情報処理端末のユーザに問い合わせてから前記プログラムにより前記サーバと通信するように前記通信部を制御するステップを含む
請求項５１に記載された接続支援方法。
【請求項５３】
ネットワークを介して互いに通信可能であり、不正なアクセスを防御するファイアーウォールと、前記ネットワークを介してサーバと通信可能なプログラムと設定情報又は未設定情報を表す接続設定情報とが対応付けられて格納されたメモリと、前記設定情報は、前記プログラムによる前記サーバへの接続の可否に関する情報であり、表示部とを具備する情報処理端末を用いて、前記プログラムによる前記サーバへの接続を支援する方法であって、
（ａ）前記ファイアーウォールが、前記プログラムを実行するための実行要求に応じて、前記メモリを参照し、前記接続設定情報が前記未設定情報を表す場合、前記プログラムに関するプログラム関連情報を含む検索要求を他の前記情報処理端末に送信するステップと、前記他の情報処理端末の各々は、前記検索要求に応じて、前記他の情報処理端末の各々の前記メモリを参照し、前記プログラムに対応する前記設定情報を検索して検索結果を前記情報処理端末に送信し、
（ｂ）前記ファイアーウォールが、前記他の情報処理端末の各々からの前記検索結果に応じて、画面を前記表示部に表示するステップとを具備し、
前記検索結果は、前記設定情報の数を表す接続可否数を含み、
前記画面は、前記接続可否数を表す検索結果画面を含む
接続支援方法。
【請求項５４】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項５３に記載された接続支援方法。
【請求項５５】
前記情報処理端末は、更に、通信部を具備し、
前記（ａ）ステップは、前記ファイアーウォールが、前記実行要求に応じて、前記メモリを参照し、
前記接続設定情報が前記許可情報を表す場合、前記通信部が前記プログラムにより前記サーバと通信するように前記通信部を制御するステップを含む
請求項５４に記載された接続支援方法。
【請求項５６】
前記画面は、更に、前記プログラムによる前記サーバへの接続の可否を決定するための操作画面を含み、
前記操作画面は、前記情報処理端末のユーザが前記接続を許可するための許可操作部分と、前記情報処理端末のユーザが前記接続を不許可するための不許可操作部分とを含み、
前記（ｂ）ステップは、
前記情報処理端末のユーザが前記許可操作部分を操作したとき、前記ファイアーウォールが、前記未設定情報に代えて前記許可情報を前記プログラムに対応付けて前記メモリに格納するステップと、
前記情報処理端末のユーザが前記不許可操作部分を操作したとき、前記ファイアーウォールが、前記未設定情報に代えて前記不許可情報を前記プログラムに対応付けて前記メモリに格納するステップとを含む
請求項５５に記載された接続支援方法。
【請求項５７】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記操作画面は、更に、前記情報処理端末のユーザが前記接続を毎回問い合わせるようにするための毎回問合操作部分を含み、
前記（ｂ）ステップは、
前記情報処理端末のユーザが前記毎回問合操作部分を操作したとき、前記ファイアーウォールが、前記未設定情報に代えて前記毎回問合情報を前記プログラムに対応付けて前記メモリに格納するステップを含み、
前記（ａ）ステップは、前記ファイアーウォールが、前記実行要求に応じて、前記メモリを参照し、
前記接続設定情報が前記毎回問合情報を表す場合、前記通信部が前記情報処理端末のユーザに問い合わせてから前記プログラムにより前記サーバと通信するように前記通信部を制御するステップを含む
請求項５６に記載された接続支援方法。
【請求項５８】
前記（ｂ）ステップは、
前記許可数と所定数とを比較するステップを含み、
前記画面は、更に、前記許可数と前記所定数との比較結果を表す判定画面を含む
請求項４４〜４６、４９〜５１、５４〜５６のいずれか１つに記載された接続支援方法。
【請求項５９】
前記（ｂ）ステップは、
前記許可数と前記毎回問合数とを加算して加算結果を生成するステップと、
前記加算結果と所定数とを比較するステップとを含み、
前記画面は、更に、前記加算結果と前記所定数との比較結果を表す判定画面を含む
請求項４７、５２、５７のいずれか１つに記載された接続支援方法。
【請求項６０】
請求項４３〜５９のいずれか１つに記載された前記ファイアーウォールはコンピュータプログラムであり、
請求項４３〜５９のいずれか１つに記載された接続支援方法を前記情報処理端末に実行させるコンピュータプログラム。
【請求項６１】
不正なアクセスを防御するファイアーウォールと、前記ネットワークを介してサーバと通信可能なプログラムが格納されたメモリと、表示部とを具備する情報処理端末とネットワークを介して通信可能であり、データベースを具備する接続支援サーバを用いて、前記プログラムによる前記サーバへの接続を支援する方法であって、
（Ａ）前記接続支援サーバが、前記プログラムに関するプログラム関連情報を含む検索要求を前記情報処理端末から受信するステップと、前記データベースには、前記プログラム関連情報と前記プログラムによる前記サーバへの接続の可否に関する接続可否数とが格納され、
（Ｂ）前記接続支援サーバが、前記検索要求に応じて、前記データベースを参照し、前記接続可否数を含む検索結果を前記情報処理端末に送信するステップとを具備し、
前記情報処理端末の前記表示部には、前記接続可否数を表す画面が表示される
接続支援方法。
【請求項６２】
前記接続可否数は、前記プログラムによる前記サーバへの接続を許可した端末の数を表す許可数と、前記接続を不許可した端末の数を表す不許可数とを含む
請求項６１に記載された接続支援方法。
【請求項６３】
前記（Ａ）ステップは、
前記情報処理端末のユーザが前記画面を操作して前記接続を許可したとき、前記接続支援サーバが、前記データベースに格納された前記許可数に１を加算するステップと、
前記情報処理端末のユーザが前記画面を操作して前記接続を不許可したとき、前記接続支援サーバが、前記データベースに格納された前記不許可数に１を加算するステップとを含む
請求項６２に記載された接続支援方法。
【請求項６４】
前記接続可否数は、更に、前記接続を行う毎にユーザに問い合わせる端末の数を表す毎回問合数を含み、
前記（Ａ）ステップは、
前記情報処理端末のユーザが前記画面を操作して前記接続を毎回問い合わせるようにしたとき、前記接続支援サーバが、前記データベースに格納された前記毎回問合数に１を加算するステップを含む
請求項６３に記載された接続支援方法。
【請求項６５】
不正なアクセスを防御するファイアーウォールと、前記ネットワークを介してサーバと通信可能な複数プログラムが格納されたメモリと、表示部とを具備する情報処理端末とネットワークを介して通信可能であり、データベースを具備する接続支援サーバを用いて、前記複数プログラムのうちの第１プログラムによる前記サーバへの接続を支援する方法であって、
（Ａ）前記接続支援サーバが、前記複数プログラムに関する複数プログラム関連情報とユーザ識別子とを含む検索要求を前記情報処理端末から受信するステップと、前記複数プログラム関連情報は、前記複数プログラムのうちの第１プログラムに関する第１プログラム関連情報を含み、前記複数のデータベースの各々には、検索用ユーザ識別子と検索用プログラム関連情報とプログラムによる前記サーバへの接続の可否に関する設定情報とが前記プログラム毎に対応付けられて格納された複数のデータベースと、
（Ｂ）前記接続支援サーバが、前記検索要求に応じて、前記複数のデータベースのうち、前記ユーザ識別子が格納された第１データベース以外の第２データベースを参照し、前記複数の検索用プログラム関連情報の中から、前記複数プログラム関連情報と一致する検索用プログラム関連情報を検索し、前記一致する検索用プログラム関連情報に含まれる前記第１プログラム関連情報に対応付けられた前記設定情報を検索して検索結果を前記情報処理端末に送信するステップとを具備し、
前記検索結果は、前記設定情報の数を表す接続可否数を含み、
前記情報処理端末の表示部には、前記接続可否数を表す画面が表示される
接続支援方法。
【請求項６６】
前記設定情報は、前記プログラムによる前記サーバへの接続を許可した端末を示す許可情報と、前記接続を許可しない端末を示す不許可情報とのいずれか１つを表し、
前記接続可否数は、前記許可情報の数を示す許可数と、前記不許可情報の数を示す不許可数とを含む
請求項６５に記載された接続支援方法。
【請求項６７】
前記（Ａ）ステップは、
前記情報処理端末のユーザが前記画面を操作して前記接続を許可したとき、前記接続支援サーバが、前記第１プログラム関連情報と前記許可情報とを前記第１データベースに格納するステップと、
前記情報処理端末のユーザが前記画面を操作して前記接続を不許可したとき、前記接続支援サーバが、前記第１プログラム関連情報と前記不許可情報とを前記第１データベースに格納するステップとを含む
請求項６６に記載された接続支援方法。
【請求項６８】
前記設定情報は、前記許可情報と、前記不許可情報と、前記接続を行う毎にユーザに問い合わせる端末を示す毎回問合情報とのいずれか１つを表し、
前記接続可否数は、更に、前記毎回問合情報の数を示す毎回問合数を含み、
前記（Ａ）ステップは、
前記情報処理端末のユーザが前記画面を操作して前記接続を毎回問い合わせるようしたとき、前記接続支援サーバが、前記第１プログラム関連情報と前記毎回問合情報とを前記第１データベースに格納するステップを含む
請求項６７に記載された接続支援方法。
【請求項６９】
請求項６１〜６８のいずれか１つに記載された接続支援方法を前記接続支援サーバに実行させるコンピュータプログラム。
【発明の詳細な説明】
【技術分野】
【０００１】
本発明は、接続支援システムに関し、特に、インターネットを利用した接続支援システムに関する。
【背景技術】
【０００２】
現在、ＡＤＳＬ（Ａｓｙｍｍｅｔｒｉｃ  Ｄｉｇｉｔａｌ  Ｓｕｂｓｃｒｉｂｅ  Ｌｉｎｅ）で例示されるインターネットを用いた接続環境が整備され、パーソナルコンピュータ（情報処理端末）を用いてインターネットに常時接続するユーザが増えている。常時接続するユーザの増加に伴い、外部から情報処理端末に不正なアクセスが行われないようにセキュリティが重要視され、その対策としてファイアーウォールを情報処理端末に導入するユーザが増えている。ファイアーウォールは、通信回線と情報処理端末との間に接続する装置である場合、情報処理端末に組み込まれるソフトウェアである場合がある。
【０００３】
情報処理端末は、インターネットであるネットワークを介してサーバと通信可能なプログラムを有する。上記プログラムは、サーバ３、ＣＤ−ＲＯＭ（Ｃｏｍｐａｃｔ  Ｄｉｓｃ−Ｒｅａｄ  Ｏｎｌｙ  Ｍｅｍｏｒｙ）からインストールされる。サーバとしては、メール設定サーバ、コンテンツサーバが挙げられる。メール設定サーバは、電子メールに関するサーバであり、ＩＳＰのメールサーバ、メッセンジャーサーバを含む。コンテンツサーバは、コンテンツを提供するサーバであり、コンテンツとしては、ゲーム、音楽、画像（静止画、動画、地図を含む）が例示される。ユーザは、情報処理端末を用いてサーバにアクセスしたい場合、上記プログラムを実行することによりサーバと通信することができる。
【０００４】
コンピュータに不慣れなユーザが情報処理端末を用いて上記プログラムによるサーバへの接続を行いたいとき、情報処理端末にファイアーウォールを導入していても、そのユーザは上記プログラムを実行することに不安を感じてしまう。コンピュータに不慣れなユーザが安心して情報処理端末を利用することができるシステムが望まれる。
【０００５】
その他に、ネットワークを用いたシステムを紹介する。特開２００３−１６２５０５号公報には、ネットワーク内のセキュリティを適切に確保することができるアクセス制御装置が記載されている。特開平１０−８３３１０号公報には、信頼される第三者がプログラムの作者を確認しプログラムの完全性を保証するための証明に署名するシステムが記載されている。
【０００６】
【特許文献１】特開２００３−１６２５０５号公報
【特許文献２】特開平１０−８３３１０号公報
【発明の開示】
【発明が解決しようとする課題】
【０００７】
本発明の課題は、パーソナルコンピュータ（情報処理端末）を用いて行われるプログラムによるサーバへの接続を支援する接続支援システムを提供することにある。
【０００８】
本発明の他の課題は、コンピュータに不慣れなユーザが安心してインターネット（ネットワーク）を利用することができる接続支援システムを提供することにある。
【課題を解決するための手段】
【０００９】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明の第１態様に係る接続支援システムは、接続支援サーバ（２）と、インターネットであるネットワーク（４）を介して接続支援サーバ（２）と通信可能な情報処理端末（１−ｉ；ｉ＝１、２、…、ｍ；ｍは１以上の整数）とを具備する。情報処理端末（１−ｉ）は、不正なアクセスを防御するファイアーウォール（１４）と、ネットワーク（４）を介してサーバ（３）と通信可能なプログラムが格納されたメモリ（１５）と、表示部（１６）とを具備する。
ファイアーウォール（１４）は、プログラムを実行するための実行要求に応じて（ステップＳ１）、プログラムに関するプログラム関連情報を含む検索要求を接続支援サーバ（２）に送信する（ステップＳ３、Ｓ１１）。
接続支援サーバ（２）は、データベース（２６）と、検索部（２３、２４、２５）とを具備する。データベース（２６）には、プログラム関連情報とプログラムによるサーバ（３）への接続の可否に関する接続可否数とが格納されている。検索部（２３、２４、２５）は、検索要求に応じて、データベース（２６）を参照し、接続可否数を含む検索結果を情報処理端末（１−ｉ）に送信する（ステップＳ１２、Ｓ１３）。
ファイアーウォール（１４）は、接続支援サーバ（２）からの検索結果に応じて、画面（３０）を表示部（１６）に表示する（ステップＳ３、Ｓ１４、Ｓ１５）。
画面（３０）は、接続可否数を表す検索結果画面（３１）を含む。
【００１１】
本発明の第１態様に係る接続支援システムによれば、上述した構成により、情報処理端末（１−ｉ）を用いて行われるプログラムによるサーバ（３）への接続を支援することができる。通常、コンピュータに不慣れなユーザが情報処理端末（１−ｉ）を用いて上記プログラムによるサーバ（３）への接続を行いたいとき、情報処理端末（１−ｉ）にファイアーウォールを導入していても、そのユーザは上記プログラムを実行することに不安を感じてしまう。本発明の第１態様に係る接続支援システムによれば、情報処理端末（１−ｉ）のユーザが上記プログラムを実行しようとしたときに、情報処理端末（１−ｉ）のファイアーウォール（１４）により、情報処理端末（１−ｉ）の表示部（１６）に上記の画面（３０）が表示される。このため、情報処理端末（１−ｉ）のユーザは上記の画面（３０）の検索結果画面（３１）を参照して、上記接続の可否を決定することができる。このように、本発明の第１態様に係る接続支援システムによれば、コンピュータに不慣れなユーザが安心してインターネット（４；ネットワーク）を利用することができる。
【００１２】
上記接続可否数は、プログラムによるサーバ（３）への接続を許可した端末の数を表す許可数と、上記接続を不許可した端末の数を表す不許可数とを含む。ここで、本発明の第１態様に係る接続支援システムの詳細を説明する。情報処理端末（１−ｉ）は、更に、通信部（１３）を具備する。メモリ（１５）には、更に、設定フラグ又は未設定フラグを表す接続設定フラグがプログラムに対応付けられて格納されている。設定フラグは、上記接続を許可する許可フラグと、上記接続を許可しない不許可フラグとのいずれか１つを表す。
ファイアーウォール（１４）は、実行要求に応じて（ステップＳ１）、メモリ（１５）を参照し、接続設定フラグが許可フラグを表す場合（ステップＳ２−ＮＯ、Ｓ４−ＹＥＳ）、通信部（１３）がプログラムによりサーバ（３）と通信するように通信部（１３）を制御する（ステップＳ５）。
ファイアーウォール（１４）は、実行要求に応じて（ステップＳ１）、メモリ（１５）を参照し、接続設定フラグが未設定フラグを表す場合（ステップＳ２−ＹＥＳ）、検索要求を接続支援サーバ（２）に送信する（ステップＳ３、Ｓ１１）。
【００１３】
画面（３０）は、更に、プログラムによるサーバ（３）への接続の可否を決定するための操作画面（３２）を含む。ここで、本発明の第１態様に係る接続支援システムの詳細を説明する。操作画面（３２）は、情報処理端末（１−ｉ）のユーザが上記接続を許可するための許可操作部分（５１）と、情報処理端末（１−ｉ）のユーザが上記接続を不許可するための不許可操作部分（５２）とを含む。
情報処理端末（１−ｉ）のユーザが許可操作部分（５１）を操作したとき（ステップＳ３、Ｓ１６、Ｓ２１−ＹＥＳ）、ファイアーウォール（１４）は、未設定フラグに代えて許可フラグをプログラムに対応付けてメモリ（１５）に格納し（ステップＳ２２、Ｓ３１）、許可指示を接続支援サーバ（２）に送信する（ステップＳ２２、Ｓ３２）。検索部（２３、２４、２５）は、許可指示に応じて、データベース（２６）に格納された許可数に１を加算する（ステップＳ３３）。
情報処理端末（１−ｉ）のユーザが不許可操作部分（５２）を操作したとき（ステップＳ３、Ｓ１６、Ｓ２１−ＮＯ、Ｓ２３−ＹＥＳ）、ファイアーウォール（１４）は、未設定フラグに代えて不許可フラグをプログラムに対応付けてメモリ（１５）に格納し（ステップＳ２４、Ｓ３４）、不許可指示を接続支援サーバ（２）に送信する（ステップＳ２４、Ｓ３５）。検索部（２３、２４、２５）は、不許可指示に応じて、データベース（２６）に格納された不許可数に１を加算する（ステップＳ３６）。
【００１４】
本発明の第１態様に係る接続支援システムによれば、情報処理端末（１−ｉ）のユーザは検索結果画面（３１）を参照して、上記接続を許可するか不許可するかを操作画面（３２）により決定することができる。このように、本発明の第１態様に係る接続支援システムによれば、コンピュータに不慣れなユーザが安心してインターネット（４；ネットワーク）を利用することができる。
【００１５】
上記接続可否数は、更に、上記接続を行う毎にユーザに問い合わせる端末の数を表す毎回問合数を含む。設定フラグは、上記許可フラグと、上記不許可フラグと、上記接続を行う毎にユーザに問い合わせる毎回問合フラグとのいずれか１つを表す。操作画面（３２）は、更に、情報処理端末（１−ｉ）のユーザが上記接続を毎回問い合わせるようにするための毎回問合操作部分（５３）を含む。
情報処理端末（１−ｉ）のユーザが毎回問合操作部分（５３）を操作したとき（ステップＳ３、Ｓ１６、Ｓ２１−ＮＯ、Ｓ２３−ＮＯ、Ｓ２５−ＹＥＳ）、ファイアーウォール（１４）は、未設定フラグに代えて毎回問合フラグをプログラムに対応付けてメモリ（１５）に格納し（ステップＳ２６、Ｓ３７）、毎回問合指示を接続支援サーバ（２）に送信する（ステップＳ２６、Ｓ３８）。検索部（２３、２４、２５）は、毎回問合指示に応じて、データベース（２６）に格納された毎回問合数に１を加算する（ステップＳ３９）。
ファイアーウォール（１４）は、実行要求に応じて（ステップＳ１）、メモリ（１５）を参照し、接続設定フラグが毎回問合フラグを表す場合（ステップＳ２−ＮＯ、Ｓ４−ＮＯ、Ｓ６−ＹＥＳ）、通信部（１３）が情報処理端末（１−ｉ）のユーザに問い合わせてからプログラムによりサーバ（３）と通信するように通信部（１３）を制御する（ステップＳ７）。
【００１６】
本発明の第１態様に係る接続支援システムによれば、情報処理端末（１−ｉ）のユーザは検索結果画面（３１）を参照して、上記接続を許可するか不許可するか毎回問い合わせるようにするかを操作画面（３２）により決定することができる。このように、本発明の第１態様に係る接続支援システムによれば、コンピュータに不慣れなユーザが安心してインターネット（４；ネットワーク）を利用することができる。
【００１７】
本発明の第２態様に係る接続支援システムは、接続支援サーバ（２）と、インターネットであるネットワーク（４）を介して接続支援サーバ（２）と通信可能な情報処理端末（１−ｉ；ｉ＝１、２、…、ｍ；ｍは１以上の整数）とを具備する。情報処理端末（１−ｉ）は、不正なアクセスを防御するファイアーウォール（１４）と、ネットワーク（４）を介してサーバ（３）と通信可能な複数プログラム｛第１プログラムに類似するプログラム群（第１プログラム〜第４プログラム）｝とユーザを識別するユーザ識別子とが格納されたメモリ（１５）と、表示部（１６）とを具備する。
情報処理端末（１−１）のファイアーウォール（１４）は、複数プログラムのうちの第１プログラムを実行するための実行要求に応じて（ステップＳ１）、複数プログラムに関する複数プログラム関連情報と上記ユーザ識別子とを含む検索要求を接続支援サーバ（２）に送信する（ステップＳ３、Ｓ４１）。複数プログラム関連情報は、第１プログラムに関する第１プログラム関連情報と、第２プログラムに関する第２プログラム関連情報と、第３プログラムに関する第３プログラム関連情報と、第４プログラムに関する第４プログラム関連情報とを含む。
接続支援サーバ（２）は、複数のデータベース（２６−１〜２６−ｍ）と、検索部（２３、２４、２５）とを具備する。複数のデータベース（２６−１〜２６−ｍ）には、検索用ユーザ識別子と検索用プログラム関連情報とプログラムによる前記サーバへの接続の可否に関する設定フラグとがプログラム毎に対応付けられて格納されている。
検索部（２３、２４、２５）は、検索要求に応じて、複数のデータベース（２６−１〜２６−ｍ）のうち、上記ユーザ識別子が格納された第１データベース（２６−１）以外の第２データベース（２６−２〜２６−ｍ）を参照し、複数の検索用プログラム関連情報の中から、複数プログラム関連情報（第１プログラム関連情報〜第４プログラム関連情報）と一致する検索用プログラム関連情報を検索する（ステップＳ４２）。検索部（２３、２４、２５）は、上記一致する検索用プログラム関連情報（第１プログラム関連情報〜第４プログラム関連情報）に含まれる第１プログラム関連情報に対応付けられた設定フラグを検索して検索結果を情報処理端末（１−１）に送信する（ステップＳ４３、Ｓ４４）。
情報処理端末（１−１）のファイアーウォール（１４）は、接続支援サーバ（２）からの検索結果に応じて、画面（３０）を表示部（１６）に表示する（ステップＳ４０、Ｓ１４、１５）。
検索結果は、設定フラグの数を表す接続可否数を含む。画面（３０）は、接続可否数を表す検索結果画面（３１）を含む。
【００１８】
本発明の第２態様に係る接続支援システムによれば、接続支援サーバ（２）は、情報処理端末（１−１）のユーザが所有するプログラム群｛上記の複数プログラム（第１プログラム〜第４プログラム）｝と同じプログラム群を所有する情報処理端末のユーザを情報処理端末（１−２〜１−ｍ）のユーザの中から検索する。これにより、本発明の第２態様に係る接続支援システムによれば、上記の本発明の第１態様に係る接続支援システムの効果に加えて、情報処理端末（１−１）のユーザが上記プログラムを実行しようとしたときに、本発明の第１態様に係る接続支援システムよりも数（接続可否数）を絞り込んで検索することができる。その結果、本発明の第２態様に係る接続支援システムによれば、コンピュータに不慣れなユーザは、上記第１プログラムによるサーバ（３）への接続を行いたいとき、自身と同じプログラム群を所有するユーザと同じ設定をすることができ、コンピュータに不慣れなユーザがより安心してインターネット（４；ネットワーク）を利用することができる。
【００１９】
上記設定フラグは、プログラムによるサーバ（３）への接続を許可した端末を示す許可フラグと、上記接続を許可しない端末を示す不許可フラグとのいずれか１つを表す。上記接続可否数は、許可フラグの数を示す許可数と不許可フラグの数を示す不許可数とを含む。ここで、本発明の第２態様に係る接続支援システムの詳細を説明する。情報処理端末（１−ｉ）は、更に、通信部（１３）を具備する。メモリ（１５）には、更に、設定フラグ又は未設定フラグを表す接続設定フラグが複数プログラムに対応付けられて格納されている。
情報処理端末（１−１）のファイアーウォール（１４）は、実行要求に応じて（ステップＳ１）、メモリ（１５）を参照し、第１プログラムに対応付けられた接続設定フラグが許可フラグを表す場合（ステップＳ２−ＮＯ、Ｓ４−ＹＥＳ）、情報処理端末（１−１）の通信部（１３）がプログラムによりサーバ（３）と通信するように通信部（１３）を制御する（ステップＳ５）。
情報処理端末（１−１）のファイアーウォール（１４）は、実行要求に応じて（ステップＳ１）、情報処理端末（１−１）のメモリ（１５）を参照し、第１プログラムに対応付けられた接続設定フラグが未設定フラグを表す場合（ステップＳ２−ＹＥＳ）、検索要求を接続支援サーバ（２）に送信する（ステップＳ４０、Ｓ４１）。
【００２０】
画面（３０）は、更に、第１プログラムによるサーバ（３）への接続の可否を決定するための操作画面（３２）を含む。ここで、本発明の第２態様に係る接続支援システムの詳細を説明する。操作画面（３２）は、情報処理端末（１−ｉ）のユーザが第１プログラムによる上記接続を許可するための許可操作部分（５１）と、情報処理端末（１−ｉ）のユーザが第１プログラムによる上記接続を不許可するための不許可操作部分（５２）とを含む。
情報処理端末（１−１）のユーザが許可操作部分（５１）を操作したとき（ステップＳ４０、Ｓ４７、Ｓ２１−ＹＥＳ）、情報処理端末（１−１）のファイアーウォール（１４）は、未設定フラグに代えて許可フラグを第１プログラムに対応付けて情報処理端末（１−１）のメモリ（１５）に格納し（ステップＳ５１、Ｓ３１）、許可指示を接続支援サーバ（２）に送信する（ステップＳ５１、Ｓ３２）。検索部（２３、２４、２５）は、許可指示に応じて、第１プログラム関連情報と許可フラグとを第１データベース（２６−１）に格納する（ステップＳ５４）。
情報処理端末（１−１）のユーザが不許可操作部分（５２）を操作したとき（ステップＳ４０、Ｓ４７、Ｓ２１−ＮＯ、Ｓ２３−ＹＥＳ）、情報処理端末（１−１）のファイアーウォール（１４）は、未設定フラグに代えて不許可フラグを第１プログラムに対応付けてメモリ（１５）に格納し（ステップＳ５２、Ｓ３４）、不許可指示を接続支援サーバ（２）に送信する（ステップＳ５２、Ｓ３５）。検索部（２３、２４、２５）は、不許可指示に応じて、第１プログラム関連情報と不許可フラグとを第１データベース（２６−１）に格納する（ステップＳ５５）。
【００２１】
本発明の第２態様に係る接続支援システムによれば、本発明の第１態様に係る接続支援システムよりも数（接続可否数）を絞り込んで検索することができる上に、情報処理端末（１−ｉ）のユーザは検索結果画面（３１）を参照して、上記接続を許可するか不許可するかを操作画面（３２）により決定することができる。本発明の第２態様に係る接続支援システムによれば、コンピュータに不慣れなユーザは、上記第１プログラムによるサーバ（３）への接続を行いたいとき、自身と同じプログラム群を所有するユーザと同じ設定をすることができ、コンピュータに不慣れなユーザがより安心してインターネット（４；ネットワーク）を利用することができる。
【００２２】
設定フラグは、上記許可フラグと、上記不許可フラグと、上記接続を行う毎にユーザに問い合わせる端末を示す毎回問合フラグとのいずれか１つを表す。接続可否数は、更に、毎回問合フラグの数を示す毎回問合数を含む。操作画面（３２）は、更に、情報処理端末（１−ｉ）のユーザが第１プログラムによる上記接続を毎回問い合わせるようにするための毎回問合操作部分（５３）を含む。
情報処理端末（１−１）のユーザが毎回問合操作部分（５３）を操作したとき（ステップＳ４０、Ｓ４７、Ｓ２１−ＮＯ、Ｓ２３−ＮＯ、Ｓ２５−ＹＥＳ）、情報処理端末（１−１）のファイアーウォール（１４）は、未設定フラグに代えて毎回問合フラグを第１プログラムに対応付けてメモリ（１５）に格納し（ステップＳ５３、Ｓ３７）、毎回問合指示を接続支援サーバ（２）に送信する（ステップＳ５３、Ｓ３８）。検索部（２３、２４、２５）は、毎回問合指示に応じて、第１プログラム関連情報と毎回問合フラグとを第１データベース（２６−１）に格納する（ステップＳ５６）。
情報処理端末（１−１）のファイアーウォール（１４）は、実行要求に応じて（ステップＳ１）、情報処理端末（１−１）のメモリ（１５）を参照し、第１プログラムに対応付けられた接続設定フラグが毎回問合フラグを表す場合（ステップＳ２−ＮＯ、Ｓ４−ＮＯ、Ｓ６−ＹＥＳ）、情報処理端末（１−１）の通信部（１３）が情報処理端末（１−１）のユーザに問い合わせてからプログラムによりサーバ（３）と通信するように通信部（１３）を制御する（ステップＳ７）。
【００２３】
本発明の第２態様に係る接続支援システムによれば、本発明の第１態様に係る接続支援システムよりも数（接続可否数）を絞り込んで検索することができる上に、情報処理端末（１−ｉ）のユーザは検索結果画面（３１）を参照して、上記接続を許可するか不許可するか毎回問い合わせるようにするかを操作画面（３２）により決定することができる。本発明の第２態様に係る接続支援システムによれば、コンピュータに不慣れなユーザは、上記第１プログラムによるサーバ（３）への接続を行いたいとき、自身と同じプログラム群を所有するユーザと同じ設定をすることができ、コンピュータに不慣れなユーザがより安心してインターネット（４；ネットワーク）を利用することができる。
【００２４】
本発明の第３態様に係る接続支援システムは、インターネットであるネットワーク（４）を介して接続支援サーバ（２）と通信可能な複数情報処理端末（１−１〜１−ｍ；ｍは１以上の整数）とを具備する。複数情報処理端末（１−１〜１−ｍ）の各々は、不正なアクセスを防御するファイアーウォール（１４）と、メモリ（１５）と、表示部（１６）とを具備する。メモリ（１５）には、ネットワーク（４）を介してサーバ（３）と通信可能なプログラムと設定フラグ又は未設定フラグを表す接続設定フラグとが対応付けられて格納されている。設定フラグは、プログラムによるサーバ（３）への接続の可否に関する情報である。
複数情報処理端末（１−１〜１−ｍ）のうちの第１情報処理端末（１−１）のファイアーウォール（１４）は、プログラムを実行するための実行要求に応じて（ステップＳ１）、第１情報処理端末（１−ｉ）のメモリ（１５）を参照し、接続設定フラグが未設定フラグを表す場合（ステップＳ２−ＹＥＳ）、プログラムに関するプログラム関連情報を含む検索要求を複数情報処理端末（１−１〜１−ｍ）のうちの第１情報処理端末（１−１）以外の第２情報処理端末（１−２〜１−ｍ）に送信する（ステップＳ６０、Ｓ６１）。
第２情報処理端末（１−２〜１−ｍ）の各々のファイアーウォール（１４）は、検索要求に応じて、第２情報処理端末（１−２〜１−ｍ）の各々のメモリ（１５）を参照し、プログラムに対応する設定フラグを検索して検索結果を第１情報処理端末（１−１）に送信する（ステップＳ６２、Ｓ６３）。
第１情報処理端末（１−１）のファイアーウォール（１４）は、第２情報処理端末（１−２〜１−ｍ）の各々からの検索結果に応じて（ステップＳ６４）、画面（３０）を第１情報処理端末（１−１）の表示部（１６）に表示する（ステップＳ１４、Ｓ１５）。
検索結果は、設定フラグの数を表す接続可否数を含む。画面（３０）は、接続可否数を表す検索結果画面（３１）を含む。
【００２５】
本発明の第３態様に係る接続支援システムによれば、情報処理端末（１−１）のファイアーウォール（１４）が他の情報処理端末（１−２〜１−ｍ）の設定状態（設定フラグの状態）を検索する。これにより、本発明の第３態様に係る接続支援システムによれば、本発明の第１態様に係る接続支援システムの効果に加えて、本発明の第１態様に係る接続支援システムよりも簡単な構成で設定状態を検索することができる。
【００２６】
設定フラグは、プログラムによるサーバ（３）への接続を許可する許可フラグと、上記接続を許可しない不許可フラグとのいずれか１つを表す。上記接続可否数は、許可フラグの数を示す許可数と、不許可フラグの数を示す不許可数とを含む。ここで、本発明の第３態様に係る接続支援システムの詳細を説明する。複数情報処理端末（１−１〜１−ｍ）の各々は、更に、通信部（１３）を具備する。
第１情報処理端末（１−１）のファイアーウォール（１４）は、実行要求に応じて（ステップＳ１）、第１情報処理端末（１−１）のメモリ（１５）を参照し、接続設定フラグが許可フラグを表す場合（ステップＳ２−ＮＯ、Ｓ４−ＹＥＳ）、第１情報処理端末（１−１）の通信部（１３）がプログラムによりサーバ（３）と通信するように第１情報処理端末（１−１）の通信部（１３）を制御する（ステップＳ５）。
【００２７】
画面（３０）は、更に、プログラムによるサーバ（３）への接続の可否を決定するための操作画面（３２）を含む。ここで、本発明の第３態様に係る接続支援システムの詳細を説明する。操作画面（３２）は、第１情報処理端末（１−１）のユーザが上記接続を許可するための許可操作部分（５１）と、第１情報処理端末（１−１）のユーザが上記接続を不許可するための不許可操作部分（５２）とを含む。
第１情報処理端末（１−１）のユーザが許可操作部分（５１）を操作したとき（ステップＳ６０、Ｓ６５、Ｓ２１−ＹＥＳ）、第１情報処理端末（１−１）のファイアーウォール（１４）は、未設定フラグに代えて許可フラグをプログラムに対応付けて第１情報処理端末（１−１）のメモリ（１５）に格納する（ステップＳ３１）。
第１情報処理端末（１−１）のユーザが不許可操作部分（５２）を操作したとき（ステップＳ６０、Ｓ６５、Ｓ２１−ＮＯ、Ｓ２３−ＹＥＳ）、第１情報処理端末（１−１）のファイアーウォール（１４）は、未設定フラグに代えて不許可フラグをプログラムに対応付けて第１情報処理端末（１−１）のメモリ（１５）に格納する（ステップＳ３４）。
【００２８】
本発明の第３態様に係る接続支援システムによれば、情報処理端末（１−１）のユーザは検索結果画面（３１）を参照して、上記接続を許可するか不許可するかを操作画面（３２）により決定することができる。このように、本発明の第３態様に係る接続支援システムによれば、コンピュータに不慣れなユーザが安心してインターネット（４；ネットワーク）を利用することができる。
【００２９】
設定フラグは、上記許可フラグと、上記不許可フラグと、上記接続を行う毎にユーザに問い合わせる端末を示す毎回問合フラグとのいずれか１つを表す。接続可否数は、更に、毎回問合フラグの数を示す毎回問合数を含む。操作画面（３２）は、更に、情報処理端末（１−ｉ）のユーザが上記接続を毎回問い合わせるようにするための毎回問合操作部分（５３）を含む。
第１情報処理端末（１−１）のユーザが毎回問合操作部分（５３）を操作したとき（ステップＳ６０、Ｓ６５、Ｓ２１−ＮＯ、Ｓ２３−ＮＯ、Ｓ２５−ＹＥＳ）、第１情報処理端末（１−１）のファイアーウォール（１４）は、未設定フラグに代えて毎回問合フラグをプログラムに対応付けて第１情報処理端末（１−１）のメモリ（１５）に格納する（ステップＳ３７）。
第１情報処理端末（１−１）のファイアーウォール（１４）は、実行要求に応じて（ステップＳ１）、第１情報処理端末（１−１）のメモリ（１５）を参照し、接続設定フラグが毎回問合フラグを表す場合（ステップＳ２−ＮＯ、Ｓ４−ＮＯ、Ｓ６−ＹＥＳ）、第１情報処理端末（１−１）の通信部（１３）が第１情報処理端末（１−１）のユーザに問い合わせてからプログラムによりサーバ（３）と通信するように第１情報処理端末（１−１）の通信部（１３）を制御する（ステップＳ７）。
【００３０】
本発明の第３態様に係る接続支援システムによれば、情報処理端末（１−１）のユーザは検索結果画面（３１）を参照して、上記接続を許可するか不許可するか毎回問い合わせるようにするかを操作画面（３２）により決定することができる。このように、本発明の第３態様に係る接続支援システムによれば、コンピュータに不慣れなユーザが安心してインターネット（４；ネットワーク）を利用することができる。
【００３１】
本発明の第１態様〜第３態様に係る接続支援システムにおいて、ファイアーウォール（１４）は、上記許可数と所定数とを比較する（ステップＳ１４）。画面（３０）は、更に、上記許可数と所定数との比較結果を表す判定画面（３３）を含む。
【００３２】
本発明の第１態様〜第３態様に係る接続支援システムにおいて、ファイアーウォール（１４）は、上記許可数と上記毎回問合数とを加算して加算結果を生成し、加算結果と所定数とを比較する（ステップＳ１４）。画面（３０）は、更に、上記加算結果と所定数との比較結果を表す判定画面（３３）を含む。
【００３３】
本発明の第１態様〜第３様態に係る接続支援システムによれば、情報処理端末（１−ｉ）のユーザが上記プログラムを実行しようとしたときに、情報処理端末（１−ｉ）のファイアーウォール（１４）により、情報処理端末（１−ｉ）の表示部（１６）には、上記の判定画面（３３）を更に含む画面（３０）が表示される。このため、情報処理端末（１−ｉ）のユーザは上記の画面（３０）の検索結果画面（３１）と判定画面（３３）とを参照して、上記接続の可否を決定することができる。その結果、本発明の第１態様〜第３様態に係る接続支援システムによれば、コンピュータに不慣れなユーザがより安心してインターネット（４；ネットワーク）を利用することができる。
【００３４】
情報処理端末（１−ｉ）のファイアーウォール（１４）は、コンピュータプログラムである。接続支援サーバ（２）の検索部（２３、２４、２５）は、コンピュータプログラムである。
【発明の効果】
【００３５】
本発明の接続支援システムによれば、パーソナルコンピュータ（情報処理端末）を用いて行われるプログラムによるサーバへの接続を支援することができる。
【００３６】
本発明の接続支援システムによれば、コンピュータに不慣れなユーザが安心してインターネット（ネットワーク）を利用することができる。
【発明を実施するための最良の形態】
【００３７】
添付図面を参照して、本発明による接続支援システムを実施するための最良の形態を以下に説明する。
【００３８】
（第１実施形態）
図１は、本発明の第１実施形態に係る接続支援システムの構成を示す。本発明の第１実施形態に係る接続支援システムは、複数の情報処理端末１−１〜１−ｍ（ｍは１以上の整数）と、接続支援サーバ２と、サーバ３とを具備する。情報処理端末１−１〜１−ｍの各々は、パーソナルコンピュータである。
情報処理端末１−１〜１−ｍの各々は、ネットワーク４を介してサーバ３と通信可能なプログラムを有する。ネットワーク４は、ＡＤＳＬ（Ａｓｙｍｍｅｔｒｉｃ  Ｄｉｇｉｔａｌ  Ｓｕｂｓｃｒｉｂｅ  Ｌｉｎｅ）で例示されるインターネットである。上記プログラムは、サーバ３、ＣＤ−ＲＯＭ（Ｃｏｍｐａｃｔ  Ｄｉｓｃ−Ｒｅａｄ  Ｏｎｌｙ  Ｍｅｍｏｒｙ）からインストールされる。サーバ３としては、メール設定サーバ３−１、コンテンツサーバ３−２が挙げられる。メール設定サーバ３−１は、電子メールに関するサーバであり、ＩＳＰのメールサーバ、メッセンジャーサーバを含む。コンテンツサーバ３−２は、コンテンツを提供するサーバであり、コンテンツとしては、ゲーム、音楽、画像（静止画、動画、地図を含む）が例示される。
【００３９】
図２は、本発明の第１実施形態に係る接続支援システムの情報処理端末１−ｉ（ｉ＝１、２、…、ｍ）の構成を示す。情報処理端末１−ｉは、ＣＰＵ（Ｃｅｎｔｒａｌ  Ｐｒｏｃｅｓｓｉｎｇ  Ｕｎｉｔ）１０と、メモリ１１と、表示部１６とを具備する。メモリ１１には、ＣＰＵ１０が実行するためのコンピュータプログラム１２である通信部１３、ファイアーウォール１４と、プログラム用データベース１５とが格納されている。ファイアーウォール１４は、通信回線と情報処理端末との間に接続する装置である場合、情報処理端末に組み込まれるソフトウェアである場合があるが、本実施例では、ファイアーウォール１４をソフトウェアとして説明する。通信部１３、ファイアーウォール１４の動作については後述する。
【００４０】
ファイアーウォール１４は、外部からの不正なアクセスを防御する不正アクセス防御機能を備えている。ファイアーウォール１４は、上記の不正アクセス防御機能の他に、情報処理端末１−ｉからサーバ３（悪意をもった可能性や危険な可能性があるコンピュータ、サーバ）にアクセスする際の監視と制限とを行う接続支援機能を備えている。ファイアーウォール１４は、情報処理端末１−ｉに備えられている場合、その接続支援機能は、ネットワーク４を介して接続支援サーバ２と通信可能である。
情報処理端末１−ｉのユーザは、情報処理端末１−ｉを用いてサーバ３にアクセスしたい場合、上記プログラムを実行することによりサーバ３と通信することができる。しかし、コンピュータに不慣れなユーザが情報処理端末１−ｉを用いて上記プログラムによるサーバ３への接続を行いたいとき、情報処理端末１−ｉにファイアーウォールを導入していても、そのユーザは上記プログラムを実行することに不安を感じてしまう。ファイアーウォール１４（接続支援機能）は、接続支援サーバ２と通信して、上記接続を支援する。本実施例では、ファイアーウォール１４の接続支援機能について説明する。
【００４１】
図３は、本発明の第１実施形態に係る接続支援システムの情報処理端末１−ｉのプログラム用データベース１５に格納された内容を示す。プログラム用データベース１５には、上記プログラムが複数格納されている。このプログラム用データベース１５には、複数プログラムに対応付けられて設定フラグ又は未設定フラグを表す接続設定フラグが格納されている。設定フラグは、プログラムによるサーバ３への接続の可否に関する情報である。複数プログラムのうちの第１プログラムを例にした場合、第１プログラムに対応付けられた設定フラグは、第１プログラムによるサーバ３への接続を許可する許可フラグと、上記接続を許可しない不許可フラグと、上記接続を行う毎に情報処理端末１−ｉのユーザに問い合わせる毎回問合フラグとのいずれか１つを表す。第１プログラムに対応付けられた未設定フラグは、第１プログラムに対応付けられて設定フラグ（許可フラグ、不許可フラグ、毎回問合フラグ）が設定されていないことを表す。
【００４２】
図４は、本発明の第１実施形態に係る接続支援システムの接続支援サーバ２の構成を示す。接続支援サーバ２は、ＣＰＵ２０と、メモリ２１とを具備する。メモリ２１には、ＣＰＵ２０が実行するためのコンピュータプログラム２２である受信部２３、検索部２４、通知部２５と、接続支援データベース２６とが格納されている。受信部２３、検索部２４、通知部２５の動作については後述する。
【００４３】
図５は、本発明の第１実施形態に係る接続支援システムの接続支援サーバ２の接続支援データベース２６に格納された内容を示す。接続支援データベース２６には、検索用プログラム関連情報と設定数とがプログラム毎に対応付けられて格納されている。検索用プログラム関連情報は、上記プログラムに関する情報であり、上記プログラムの名称であるプログラム名、上記プログラムのハッシュ値、上記プログラムの製造元、上記プログラムのバージョンを含む。検索用プログラム関連情報は、更に、上記プログラムそのものを含んでいてもよい。設定数は、上記接続の可否に関する接続可否数であり、上記接続を許可した端末の数を表す許可数と、上記接続を不許可した端末の数を表す不許可数と、上記接続を行う毎にユーザに問い合わせる端末の数を表す毎回問合数とを含む。ここで、許可数と不許可数と毎回問合数は０以上の整数である。
【００４４】
図６は、本発明の第１実施形態に係る接続支援システムの情報処理端末１−ｉによって表示される画面３０を示す。情報処理端末１−ｉが画面３０を表示するタイミングと詳細については後述する。
画面３０は、検索結果画面３１と、操作画面３２と、判定画面３３と、画面３０の表示を終了するための閉ボタン５４とを含む。
検索結果画面３１は、許可数と不許可数と毎回問合数とを表す画面である。検索結果画面３１は、許可数を表示するための許可数表示欄４１と、不許可数を表示するための不許可数表示欄４２と、毎回問合数を表示するための毎回問合数表示欄４３とを含む。検索結果画面３１は、更に、許可数の割合を表示するための許可割合表示欄４４と、不許可数の割合を表示するための不許可割合表示欄４５と、毎回問合数の割合を表示するための毎回問合割合表示欄４６とを含む。
操作画面３２は、情報処理端末１−ｉのユーザがプログラムによる上記接続を許可するか不許可するか毎回問い合わせるようにするかを決定するための画面である。操作画面３２は、上記接続を許可するための許可ボタン５１と、上記接続を不許可するための不許可ボタン５２と、上記接続を行う毎にユーザに問い合わせるための毎回問合ボタン５３とを含む。
判定画面３３は、情報処理端末１−ｉのユーザが許可ボタン５１、不許可ボタン５２、毎回問合ボタン５３を操作するときに参照するメッセージを表示するための判定結果表示欄４７を含む。
【００４５】
図７は、本発明の第１実施形態に係る接続支援システムの動作を示すフローチャートである。
情報処理端末１−ｉのユーザは、情報処理端末１−ｉが有する複数のプログラムのうちの第１プログラムを実行するとき、情報処理端末１−ｉを用いて、第１プログラムを実行するための実行要求を行う。情報処理端末１−ｉのファイアーウォール１４は、実行要求を受付け、情報処理端末１−ｉのプログラム用データベース１５を参照する（ステップＳ１）。
第１プログラムに対応付けられてプログラム用データベース１５に格納された接続設定フラグが未設定フラグを表す（ステップＳ２−ＹＥＳ）。この場合、情報処理端末１−ｉのファイアーウォール１４は、後述する接続支援処理を実行する（ステップＳ３）。
第１プログラムに対応付けられてプログラム用データベース１５に格納された接続設定フラグが設定フラグを表し、その設定フラグが許可フラグを表す（ステップＳ２−ＮＯ、Ｓ４−ＹＥＳ）。この場合、情報処理端末１−ｉのファイアーウォール１４は、通信処理を実行する（ステップＳ５）。通信処理（ステップＳ５）では、情報処理端末１−ｉのファイアーウォール１４は、情報処理端末１−ｉの通信部１３が第１プログラムによりサーバ３と通信するように、その通信部１３を制御する。
第１プログラムに対応付けられてプログラム用データベース１５に格納された接続設定フラグが設定フラグを表し、その設定フラグが毎回問合フラグを表す（ステップＳ２−ＮＯ、Ｓ４−ＮＯ、Ｓ６−ＹＥＳ）。この場合、情報処理端末１−ｉのファイアーウォール１４は、問合通信処理を実行する（ステップＳ７）。問合通信処理（ステップＳ７）では、情報処理端末１−ｉのファイアーウォール１４は、情報処理端末１−ｉの通信部１３が情報処理端末１−ｉのユーザに問い合わせてから第１プログラムによりサーバ３と通信するように、その通信部１３を制御する。
【００４６】
図８は、本発明の第１実施形態に係る接続支援システムの動作として接続支援処理（ステップＳ３）を示すフローチャートである。
情報処理端末１−ｉのファイアーウォール１４は、第１プログラムに関する第１プログラム関連情報（第１プログラムのプログラム名、ハッシュ値、製造元、バージョン）を含む検索要求を接続支援サーバ２に送信する（ステップＳ１１）。検索要求に含まれる第１プログラム関連情報は、第１プログラムそのものを含んでいてもよい。
接続支援サーバ２の受信部２３は、情報処理端末１−ｉからの検索要求を受信する。接続支援サーバ２の検索部２４は、受信部２３が受信した検索要求に応じて、検索処理を実行する（ステップＳ１２）。検索処理（ステップＳ１２）では、検索部２４は、接続支援データベース２６を参照して、検索要求に含まれる第１プログラム関連情報（第１プログラムのプログラム名、ハッシュ値、製造元、バージョン）と一致する検索用プログラム関連情報を検索する。検索部２４は、一致する検索用プログラム関連情報（第１プログラム関連情報）に対応付けられた設定数（許可数、不許可数、毎回問合数）を検索する。
接続支援サーバ２の通知部２５は、検索部２４が検索した設定数（許可数、不許可数、毎回問合数）を含む検索結果を生成して情報処理端末１−ｉに送信する（ステップＳ１３）。
【００４７】
情報処理端末１−ｉのファイアーウォール１４は、接続支援サーバ２からの検索結果に応じて、算出・判定処理を実行する（ステップＳ１４）。算出・判定処理（ステップＳ１４）では、ファイアーウォール１４は、検索結果に含まれる許可数と不許可数と毎回問合数とを加算して第１加算結果を生成する。
ファイアーウォール１４は、検索結果に含まれる許可数を第１加算結果で除算して１００を乗算した許可割合（許可数／第１加算結果×１００）を算出し、検索結果に含まれる不許可数を第１加算結果で除算して１００を乗算した不許可割合（不許可数／第１加算結果×１００）を算出し、検索結果に含まれる毎回問合数を第１加算結果で除算して１００を乗算した毎回問合割合（毎回問合数／第１加算結果×１００）を算出する。
ファイアーウォール１４は、第１加算結果が所定数ｘ１以上である場合、検索結果に含まれる許可数と毎回問合数とを加算して第２加算結果を生成する。ここで、所定数ｘ１は１以上の整数である。ファイアーウォール１４は、第２加算結果を第１加算結果で除算して除算結果を生成し、除算結果と所定数ｙ１、ｙ２、ｙ３とを比較する。例えば所定数ｙ１は、０．９≦ｙ１≦１を満たす正数であり、所定数ｙ２は、０．４≦ｙ２＜０．９を満たす正数であり、所定数ｙ３は、０≦ｙ３＜０．４を満たす正数である。
ファイアーウォール１４は、除算結果が所定数ｙ１内にあるとき、第１メッセージ、例えば“このプログラムは安全であると判断しています”を生成する。ファイアーウォール１４は、除算結果が所定数ｙ２内にあるとき、第２メッセージ、例えば“このプログラムの安全性を現在確認中です”を生成する。ファイアーウォール１４は、除算結果が所定数ｙ３内にあるとき、第３メッセージ、例えば“このプログラムの使用には注意が必要です”を生成する。
【００４８】
その後、情報処理端末１−ｉのファイアーウォール１４は、表示処理を実行する（ステップＳ１５）。表示処理（ステップＳ１５）では、ファイアーウォール１４は、検索結果に含まれる許可数を検索結果画面３１の許可数表示欄４１に書き込み、検索結果に含まれる不許可数を検索結果画面３１の不許可数表示欄４２に書き込み、検索結果に含まれる毎回問合数を検索結果画面３１の毎回問合数表示欄４３に書き込む。
ファイアーウォール１４は、上記の許可割合（許可数／第１加算結果×１００）を検索結果画面３１の許可割合表示欄４４に書き込み、上記の不許可割合（不許可数／第１加算結果×１００）を検索結果画面３１の不許可割合表示欄４５に書き込み、上記の毎回問合割合（毎回問合数／第１加算結果×１００）を検索結果画面３１の毎回問合割合表示欄４６に書き込む。
上記の第１加算結果が所定数ｘ１以上であり、上記の除算結果が所定数ｙ１内にあるとき、ファイアーウォール１４は、第１メッセージ“このプログラムは安全であると判断しています”を判定画面３３の判定結果表示欄４７に書き込む。上記の第１加算結果が所定数ｘ１以上であり、上記の除算結果が所定数ｙ２内にあるとき、ファイアーウォール１４は、第２メッセージ“このプログラムの安全性を現在確認中です”を判定画面３３の判定結果表示欄４７に書き込む。上記の第１加算結果が所定数ｘ１以上であり、上記の除算結果が所定数ｙ３内にあるとき、ファイアーウォール１４は、第３メッセージ“このプログラムの使用には注意が必要です”を判定画面３３の判定結果表示欄４７に書き込む。
ファイアーウォール１４は、上記の書き込みを完了した場合、検索結果画面３１と操作画面３２と判定画面３３と閉ボタン５４とを含む画面３０を情報処理端末１−ｉの表示部１６に表示する。
【００４９】
情報処理端末１−ｉのファイアーウォール１４は、表示処理（ステップＳ１５を実行した後、設定処理を実行する（ステップＳ１６）。図９は、本発明の第１実施形態に係る接続支援システムの動作として接続支援処理（ステップＳ３）の設定処理（ステップＳ１６）を示すフローチャートである。
設定処理（ステップＳ１６）では、情報処理端末１−ｉのユーザが操作画面３２の許可ボタン５１を操作（押下）したとき（ステップＳ２１−ＹＥＳ）、ファイアーウォール１４は、後述する許可処理を実行する（ステップＳ２２）。
情報処理端末１−ｉのユーザが操作画面３２の不許可ボタン５２を操作（押下）したとき（ステップＳ２１−ＮＯ、Ｓ２３−ＹＥＳ）、ファイアーウォール１４は、後述する不許可処理を実行する（ステップＳ２４）。
情報処理端末１−ｉのユーザが操作画面３２の毎回問合ボタン５３を操作（押下）したとき（ステップＳ２１−ＮＯ、Ｓ２３−ＮＯ、Ｓ２５−ＹＥＳ）、ファイアーウォール１４は、後述する毎回問合処理を実行する（ステップＳ２６）。
情報処理端末１−ｉのユーザが閉ボタン５４を操作（押下）したとき（ステップＳ２１−ＮＯ、Ｓ２３−ＮＯ、Ｓ２５−ＮＯ）、ファイアーウォール１４は、許可処理（ステップＳ２２）、不許可処理（ステップＳ２４）、毎回問合処理（ステップＳ２６）を実行しないで、画面３０の表示を終了する。
【００５０】
図１０は、本発明の第１実施形態に係る接続支援システムの動作として接続支援処理（ステップＳ３）の設定処理（ステップＳ１６）の許可処理（ステップＳ２２）を示すフローチャートである。
ファイアーウォール１４は、未設定フラグに代えて許可フラグを第１プログラムに対応付けてプログラム用データベース１５に格納する（ステップＳ３１）。同時に、ファイアーウォール１４は、許可指示を接続支援サーバ２に送信する（ステップＳ３２）。
接続支援サーバ２の受信部２３は、情報処理端末１−ｉからの許可指示を受信する。接続支援サーバ２の検索部２４は、許可指示に応じて、上記一致する検索用プログラム関連情報（第１プログラム関連情報）に対応付けられた許可数に１を加算する（ステップＳ３３）。
【００５１】
図１１は、本発明の第１実施形態に係る接続支援システムの動作として接続支援処理（ステップＳ３）の設定処理（ステップＳ１６）の不許可処理（ステップＳ２４）を示すフローチャートである。
ファイアーウォール１４は、未設定フラグに代えて不許可フラグを第１プログラムに対応付けてプログラム用データベース１５に格納する（ステップＳ３４）。同時に、ファイアーウォール１４は、不許可指示を接続支援サーバ２に送信する（ステップＳ３５）。
接続支援サーバ２の受信部２３は、情報処理端末１−ｉからの不許可指示を受信する。接続支援サーバ２の検索部２４は、不許可指示に応じて、上記一致する検索用プログラム関連情報（第１プログラム関連情報）に対応付けられた不許可数に１を加算する（ステップＳ３６）。
【００５２】
図１２は、本発明の第１実施形態に係る接続支援システムの動作として接続支援処理（ステップＳ３）の設定処理（ステップＳ１６）の毎回問合処理（ステップＳ２６）を示すフローチャートである。
ファイアーウォール１４は、未設定フラグに代えて毎回問合フラグを第１プログラムに対応付けてプログラム用データベース１５に格納する（ステップＳ３７）。同時に、ファイアーウォール１４は、毎回問合指示を接続支援サーバ２に送信する（ステップＳ３８）。
接続支援サーバ２の受信部２３は、情報処理端末１−ｉからの毎回問合指示を受信する。接続支援サーバ２の検索部２４は、毎回問合指示に応じて、上記一致する検索用プログラム関連情報（第１プログラム関連情報）に対応付けられた毎回問合数に１を加算する（ステップＳ３９）。
【００５３】
本発明の第１実施形態に係る接続支援システムによれば、上述した構成により、情報処理端末１−ｉを用いて行われるプログラムによるサーバ３への接続を支援することができる。通常、コンピュータに不慣れなユーザが情報処理端末１−ｉを用いて上記の第１プログラムによるサーバ３への接続を行いたいとき、情報処理端末１−ｉにファイアーウォールを導入していても、そのユーザは第１プログラムを実行することに不安を感じてしまう。本発明の第１実施形態に係る接続支援システムによれば、情報処理端末１−ｉのユーザが上記の第１プログラムを実行しようとしたときに、情報処理端末１−ｉのファイアーウォール１４により、情報処理端末１−ｉの表示部１６に上記の画面３０が表示される。このため、情報処理端末１−ｉのユーザは上記の画面３０の検索結果画面３１を参照して、上記の画面３０の操作画面３２により上記接続を許可するか不許可するか毎回問い合わせるようにするかを決定することができる。このように、本発明の第１実施形態に係る接続支援システムによれば、コンピュータに不慣れなユーザが安心してインターネット（ネットワーク４）を利用することができる。
【００５４】
本発明の第１実施形態に係る接続支援システムによれば、情報処理端末１−ｉのユーザが上記第１プログラムを実行しようとしたときに、情報処理端末１−ｉのファイアーウォール１４により、情報処理端末１−ｉの表示部１６には、上記の判定画面３３を更に含む画面３０が表示される。この判定画面３３は、上記の第１加算結果が所定数ｘ１以上であり、上記の除算結果が所定数ｙ３内にあるとき、表示部１６に表示される。このため、情報処理端末１−ｉのユーザは上記の画面３０の検索結果画面３１と判定画面３３とを参照して、上記の画面３０の操作画面３２により上記接続を許可するか不許可するか毎回問い合わせるようにするかを決定することができる。その結果、本発明の第１実施形態に係る接続支援システムによれば、コンピュータに不慣れなユーザがより安心してインターネット（ネットワーク４）を利用することができる。
【００５５】
（第２実施形態）
本発明の第２実施形態に係る接続支援システムでは、接続支援サーバ２は、情報処理端末１−１のユーザが所有するプログラム群｛第１プログラムに類似するプログラム群（第１プログラム〜第４プログラム）｝と同じプログラム群を所有する情報処理端末のユーザを情報処理端末１−２〜１−ｍのユーザの中から検索する。これにより、本発明の第２実施形態に係る接続支援システムでは、本発明の第１実施形態に係る接続支援システムの効果に加えて、情報処理端末１−１のユーザが第１プログラムを実行しようとしたときに、本発明の第１実施形態に係る接続支援システムよりも数（許可数、不許可数、毎回問合数）を絞り込んで検索することができる。
本発明の第２実施形態に係る接続支援システムでは、第１実施形態と重複する説明について省略する。
【００５６】
図１３は、本発明の第２実施形態に係る接続支援システムの情報処理端末１−ｉのプログラム用データベース１５に格納された内容を示す。プログラム用データベース１５には、更に、情報処理端末１−ｉのユーザを識別するユーザ識別子が格納されている。図１４に示されるように、例えば、情報処理端末１−１のプログラム用データベース１５には、情報処理端末１−１のユーザを識別するユーザ識別子が格納され、情報処理端末１−１のプログラム用データベース１５に格納された複数プログラムは、第１プログラム、第２プログラム、第３プログラム、第４プログラムを含む。第２プログラム、第３プログラム、第４プログラムは、第１プログラムのプログラム名、製造元、バージョンの少なくとも１つと一致するような第１プログラムに類似するプログラムである。
【００５７】
図１５は、本発明の第２実施形態に係る接続支援システムの接続支援サーバ２の構成を示す。接続支援サーバ２のメモリ２１には、第１実施形態の接続支援データベース２６に代えて、複数の接続支援データベース２６−１〜２６−ｍが格納されている。
【００５８】
図１６は、本発明の第２実施形態に係る接続支援システムの接続支援サーバ２の接続支援データベース２６−ｉ（ｉ＝１、２、…、ｍ）に格納された内容を示す。接続支援データベース２６−ｉには、検索用ユーザ識別子と検索用プログラム関連情報と設定フラグとがプログラム毎に対応付けられて格納されている。接続支援データベース２６−ｉに格納された検索用ユーザ識別子は、情報処理端末１−ｉのプログラム用データベース１５に格納されたユーザ識別子と同じである。接続支援データベース２６−ｉに格納された検索用プログラム関連情報は、第１実施形態の接続支援データベース２６に格納された検索用プログラム関連情報と同じである。設定フラグは、情報処理端末１−ｉのプログラム用データベース１５に格納された接続設定フラグが表す設定フラグと同じである。
【００５９】
図１７は、本発明の第２実施形態に係る接続支援システムの動作を示すフローチャートである。情報処理端末１−ｉを情報処理端末１−１として説明する。
情報処理端末１−１のユーザは、情報処理端末１−１が有する複数のプログラムのうちの第１プログラムを実行するとき、情報処理端末１−１を用いて、第１プログラムを実行するための実行要求を行う。情報処理端末１−１のファイアーウォール１４は、実行要求を受付け、情報処理端末１−１のプログラム用データベース１５を参照する（ステップＳ１）。
第１プログラムに対応付けられてプログラム用データベース１５に格納された接続設定フラグが未設定フラグを表す（ステップＳ２−ＹＥＳ）。この場合、情報処理端末１−１のファイアーウォール１４は、後述する接続支援処理を実行する（ステップＳ４０）。
第１プログラムに対応付けられてプログラム用データベース１５に格納された接続設定フラグが設定フラグを表し、その設定フラグが許可フラグを表す（ステップＳ２−ＮＯ、Ｓ４−ＹＥＳ）。この場合、情報処理端末１−１のファイアーウォール１４は、第１実施形態と同じ通信処理（ステップＳ５）を実行する。
第１プログラムに対応付けられてプログラム用データベース１５に格納された接続設定フラグが設定フラグを表し、その設定フラグが毎回問合フラグを表す（ステップＳ２−ＮＯ、Ｓ４−ＮＯ、Ｓ６−ＹＥＳ）。この場合、情報処理端末１−１のファイアーウォール１４は、第１実施形態と同じ問合通信処理（ステップＳ７）を実行する。
【００６０】
図１８は、本発明の第２実施形態に係る接続支援システムの動作として接続支援処理（ステップＳ４０）を示すフローチャートである。
情報処理端末１−１のファイアーウォール１４は、プログラム用データベース１５を参照して、第１プログラムに類似する第２プログラム、第３プログラム、第４プログラムを検索し、複数プログラム関連情報とユーザ識別子とを含む検索要求を接続支援サーバ２に送信する（ステップＳ４１）。検索要求に含まれる複数プログラム関連情報は、第１プログラムに関する第１プログラム関連情報（第１プログラムのプログラム名、ハッシュ値、製造元、バージョン）と、第２プログラムに関する第２プログラム関連情報（第２プログラムのプログラム名、ハッシュ値、製造元、バージョン）と、第３プログラムに関する第３プログラム関連情報（第３プログラムのプログラム名、ハッシュ値、製造元、バージョン）と、第４プログラムに関する第４プログラム関連情報（第４プログラムのプログラム名、ハッシュ値、製造元、バージョン）とを含む。
接続支援サーバ２の受信部２３は、情報処理端末１−１からの検索要求を受信する。接続支援サーバ２の検索部２４は、受信部２３が受信した検索要求に応じて、プログラム関連情報検索処理を実行する（ステップＳ４２）。プログラム関連情報検索処理（ステップＳ４２）では、検索部２４は、接続支援データベース２６−１〜２６−ｍのうち、検索要求に含まれるユーザ識別子が格納された第１接続支援データベース（接続支援データベース２６−１）以外の第２接続支援データベース（接続支援データベース２６−２〜２６−ｍ）を選択する。検索部２４は、接続支援データベース２６−２〜２６−ｍを参照して、検索要求に含まれる複数プログラム関連情報（第１プログラム関連情報〜第４プログラム関連情報）と一致する検索用プログラム関連情報が格納されたｎ個（ｎは１≦ｎ＜ｍを満たす整数）の接続支援データベースを検索する。すなわち、情報処理端末１−２〜１−ｍの中から、情報処理端末１−１のユーザが所有するプログラム群（第１プログラム〜第４プログラム）と同じプログラム群を所有する情報処理端末（のユーザ）を検索する。
検索部２４は、ｎ個の接続支援データベースを参照して、設定フラグ検索処理を実行する（ステップＳ４３）。設定フラグ検索処理（ステップＳ４３）では、検索部２４は、上記一致する検索用プログラム関連情報（第１プログラム関連情報〜第４プログラム関連情報）に含まれる第１プログラム関連情報に対応付けられた設定フラグ（許可フラグ、不許可フラグ、毎回問合フラグ）を検索する。
接続支援サーバ２の通知部２５は、検索部２４が検索した設定フラグ（許可フラグ、不許可フラグ、毎回問合フラグ）を集計し、接続可否数を含む検索結果を生成して情報処理端末１−１に送信する（ステップＳ４４）。ここで、接続可否数は、許可フラグの数を示す許可数と不許可フラグの数を示す不許可数と毎回問合フラグの数を示す毎回問合数とを含み、許可数と不許可数と毎回問合数は０以上の整数である。
【００６１】
情報処理端末１−１のファイアーウォール１４は、接続支援サーバ２からの検索結果に応じて、第１実施形態と同じ算出・判定処理（ステップＳ１４）を実行する。ただし、第２実施形態における所定数ｘ１は、１以上の整数であるが、第１実施形態における所定数ｘ１よりも小さい。
【００６２】
その後、情報処理端末１−１のファイアーウォール１４は、第１実施形態と同じ表示処理（ステップＳ１５）を実行する。
【００６３】
情報処理端末１−１のファイアーウォール１４は、表示処理（ステップＳ１５を実行した後、設定処理を実行する（ステップＳ４７）。図１９は、本発明の第２実施形態に係る接続支援システムの動作として接続支援処理（ステップＳ４０）の設定処理（ステップＳ４７）を示すフローチャートである。
設定処理（ステップＳ４７）では、情報処理端末１−１のユーザが操作画面３２の許可ボタン５１を操作（押下）したとき（ステップＳ２１−ＹＥＳ）、ファイアーウォール１４は、後述する許可処理を実行する（ステップＳ５１）。
情報処理端末１−１のユーザが操作画面３２の不許可ボタン５２を操作（押下）したとき（ステップＳ２１−ＮＯ、Ｓ２３−ＹＥＳ）、ファイアーウォール１４は、後述する不許可処理を実行する（ステップＳ５２）。
情報処理端末１−１のユーザが操作画面３２の毎回問合ボタン５３を操作（押下）したとき（ステップＳ２１−ＮＯ、Ｓ２３−ＮＯ、Ｓ２５−ＹＥＳ）、ファイアーウォール１４は、後述する毎回問合処理を実行する（ステップＳ５３）。
情報処理端末１−１のユーザが閉ボタン５４を操作（押下）したとき（ステップＳ２１−ＮＯ、Ｓ２３−ＮＯ、Ｓ２５−ＮＯ）、ファイアーウォール１４は、許可処理（ステップＳ５１）、不許可処理（ステップＳ５２）、毎回問合処理（ステップＳ５３）を実行しないで、画面３０の表示を終了する。
【００６４】
図２０は、本発明の第２実施形態に係る接続支援システムの動作として接続支援処理（ステップＳ４０）の設定処理（ステップＳ４７）の許可処理（ステップＳ５１）を示すフローチャートである。
ファイアーウォール１４は、第１実施形態と同じステップＳ３１とステップＳ３２とを実行する。
接続支援サーバ２の受信部２３は、情報処理端末１−１からの許可指示を受信する。接続支援サーバ２の検索部２４は、許可指示に応じて、情報処理端末１−１のユーザ識別子と同じユーザ識別子に対応付けて第１プログラム関連情報と許可フラグとを第１接続支援データベース（接続支援データベース２６−１）に格納する（ステップＳ５４）。
【００６５】
図２１は、本発明の第２実施形態に係る接続支援システムの動作として接続支援処理（ステップＳ４０）の設定処理（ステップＳ４７）の不許可処理（ステップＳ５２）を示すフローチャートである。
ファイアーウォール１４は、第１実施形態と同じステップＳ３４とステップＳ３５とを実行する。
接続支援サーバ２の受信部２３は、情報処理端末１−１からの不許可指示を受信する。接続支援サーバ２の検索部２４は、不許可指示に応じて、情報処理端末１−１のユーザ識別子と同じユーザ識別子に対応付けて第１プログラム関連情報と不許可フラグとを第１接続支援データベース（接続支援データベース２６−１）に格納する（ステップＳ５５）。
【００６６】
図２２は、本発明の第２実施形態に係る接続支援システムの動作として接続支援処理（ステップＳ４０）の設定処理（ステップＳ４７）の毎回問合処理（ステップＳ５３）を示すフローチャートである。
ファイアーウォール１４は、第１実施形態と同じステップＳ３７とステップＳ３８とを実行する。
接続支援サーバ２の受信部２３は、情報処理端末１−１からの毎回問合指示を受信する。接続支援サーバ２の検索部２４は、毎回問合指示に応じて、情報処理端末１−１のユーザ識別子と同じユーザ識別子に対応付けて第１プログラム関連情報と毎回問合フラグとを第１接続支援データベース（接続支援データベース２６−１）に格納する（ステップＳ５６）。
【００６７】
本発明の第２実施形態に係る接続支援システムによれば、接続支援サーバ２は、情報処理端末１−１のユーザが所有するプログラム群｛上記の第１プログラム〜第４プログラム）｝と同じプログラム群を所有する情報処理端末のユーザを情報処理端末１−２〜１−ｍのユーザの中から検索する。これにより、本発明の第２実施形態に係る接続支援システムによれば、本発明の第１実施形態に係る接続支援システムの効果に加えて、情報処理端末１−１のユーザが上記第１プログラムを実行しようとしたときに、本発明の第１実施形態に係る接続支援システムよりも数（許可数、不許可数、毎回問合数）を絞り込んで検索することができる。その結果、本発明の第２実施形態に係る接続支援システムによれば、コンピュータに不慣れなユーザは、上記第１プログラムによるサーバ３への接続を行いたいとき、自身と同じプログラム群を所有するユーザと同じ設定をすることができ、コンピュータに不慣れなユーザがより安心してインターネット（ネットワーク４）を利用することができる。
【００６８】
（第３実施形態）
本発明の第３実施形態に係る接続支援システムでは、情報処理端末１−１のファイアーウォール１４が他の情報処理端末１−２〜１−ｍの設定状態（設定フラグの状態）を検索することにより、本発明の第１実施形態に係る接続支援システムよりも簡単な構成で設定状態を検索することができる。
図２３は、本発明の第３実施形態に係る接続支援システムの構成を示す。本発明の第３実施形態に係る接続支援システムは、第１実施形態と同じ情報処理端末１−１〜１−ｍと、第１実施形態と同じサーバ３とを具備する。
本発明の第３実施形態に係る接続支援システムでは、第１実施形態、第２実施形態と重複する説明について省略する。
【００６９】
図２４は、本発明の第３実施形態に係る接続支援システムの動作を示すフローチャートである。情報処理端末１−ｉを情報処理端末１−１として説明する。
情報処理端末１−１のユーザは、情報処理端末１−１が有する複数のプログラムのうちの第１プログラムを実行するとき、情報処理端末１−１を用いて、第１プログラムを実行するための実行要求を行う。情報処理端末１−１のファイアーウォール１４は、実行要求を受付け、情報処理端末１−１のプログラム用データベース１５を参照する（ステップＳ１）。
第１プログラムに対応付けられてプログラム用データベース１５に格納された接続設定フラグが未設定フラグを表す（ステップＳ２−ＹＥＳ）。この場合、情報処理端末１−１のファイアーウォール１４は、後述する接続支援処理を実行する（ステップＳ６０）。
第１プログラムに対応付けられてプログラム用データベース１５に格納された接続設定フラグが設定フラグを表し、その設定フラグが許可フラグを表す（ステップＳ２−ＮＯ、Ｓ４−ＹＥＳ）。この場合、情報処理端末１−１のファイアーウォール１４は、第１実施形態と同じ通信処理（ステップＳ５）を実行する。
第１プログラムに対応付けられてプログラム用データベース１５に格納された接続設定フラグが設定フラグを表し、その設定フラグが毎回問合フラグを表す（ステップＳ２−ＮＯ、Ｓ４−ＮＯ、Ｓ６−ＹＥＳ）。この場合、情報処理端末１−１のファイアーウォール１４は、第１実施形態と同じ問合通信処理（ステップＳ７）を実行する。
【００７０】
図２５は、本発明の第３実施形態に係る接続支援システムの動作として接続支援処理（ステップＳ６０）を示すフローチャートである。
情報処理端末１−１のファイアーウォール１４は、第１プログラムに関する第１プログラム関連情報を含む検索要求を情報処理端末１−２〜１−ｍに送信する（ステップＳ６１）。
情報処理端末１−２〜１−ｍの各々のファイアーウォール１４は、情報処理端末１−１からの検索要求を受信する。情報処理端末１−２〜１−ｍの各々のファイアーウォール１４は、受信した検索要求に応じて、検索処理を実行する（ステップＳ６２）。検索処理（ステップＳ６２）では、情報処理端末１−２〜１−ｍの各々のファイアーウォール１４は、そのプログラム用１５を参照して、検索要求に含まれる第１プログラム関連情報と一致するプログラム関連情報を検索する。情報処理端末１−２〜１−ｍの各々のファイアーウォール１４は、一致するプログラム関連情報（第１プログラム関連情報）に対応付けられた接続設定フラグ（許可フラグ、不許可フラグ、毎回問合フラグ、未設定フラグのいずれかを含む）を検索する。
情報処理端末１−２〜１−ｍの各々のファイアーウォール１４は、検索した接続設定フラグを含む検索結果を生成して情報処理端末１−１に送信する（ステップＳ６３）。
【００７１】
情報処理端末１−１のファイアーウォール１４は、情報処理端末１−２〜１−ｍの各々からの検索結果に応じて、集計処理を実行する（ステップＳ６４）。集計処理（ステップＳ６４）では、情報処理端末１−１のファイアーウォール１４は、情報処理端末１−２〜１−ｍの各々からの検索結果に含まれる接続設定フラグ（許可フラグ、不許可フラグ、毎回問合フラグ、未設定フラグ）を集計して集計検索結果を生成する。集計検索結果は、許可フラグの数を示す許可数と、不許可フラグの数を示す不許可数と、毎回問合フラグの数を示す毎回問合数とを含む。ここで、許可数と不許可数と毎回問合数は０以上の整数である。
【００７２】
情報処理端末１−１のファイアーウォール１４は、生成した集計検索結果に応じて、第２実施形態と同じ算出・判定処理（ステップＳ１４）を実行する。ここで、第３実施形態では、情報処理端末１−１のファイアーウォール１４は、集計検索結果を検索結果として算出・判定処理（ステップＳ１４）を実行する。また、第３実施形態における所定数ｘ１は、第２実施形態における所定数ｘ１と同じである。
【００７３】
その後、情報処理端末１−１のファイアーウォール１４は、第１実施形態、第２実施形態と同じ表示処理（ステップＳ１５）を実行する。
【００７４】
情報処理端末１−１のファイアーウォール１４は、表示処理（ステップＳ１５を実行した後、設定処理を実行する（ステップＳ６５）。図２６は、本発明の第３実施形態に係る接続支援システムの動作として接続支援処理（ステップＳ６０）の設定処理（ステップＳ６５）を示すフローチャートである。
設定処理（ステップＳ６５）では、情報処理端末１−１のユーザが操作画面３２の許可ボタン５１を操作（押下）したとき（ステップＳ２１−ＹＥＳ）、ファイアーウォール１４は、第１実施形態と同じステップＳ３１を実行する。
情報処理端末１−１のユーザが操作画面３２の不許可ボタン５２を操作（押下）したとき（ステップＳ２１−ＮＯ、Ｓ２３−ＹＥＳ）、ファイアーウォール１４は、第１実施形態と同じステップＳ３４を実行する。
情報処理端末１−１のユーザが操作画面３２の毎回問合ボタン５３を操作（押下）したとき（ステップＳ２１−ＮＯ、Ｓ２３−ＮＯ、Ｓ２５−ＹＥＳ）、第１実施形態と同じステップＳ３７を実行する。
情報処理端末１−１のユーザが閉ボタン５４を操作（押下）したとき（ステップＳ２１−ＮＯ、Ｓ２３−ＮＯ、Ｓ２５−ＮＯ）、ファイアーウォール１４は、ステップＳ３１、Ｓ３４、Ｓ３７を実行しないで、画面３０の表示を終了する。
【００７５】
本発明の第３実施形態に係る接続支援システムによれば、情報処理端末１−１のファイアーウォール１４が他の情報処理端末１−２〜１−ｍの設定状態（設定フラグの状態）を検索する。これにより、本発明の第３実施形態に係る接続支援システムによれば、本発明の第１実施形態に係る接続支援システムの効果に加えて、本発明の第１実施形態に係る接続支援システムよりも簡単な構成で設定状態を検索することができる。
【図面の簡単な説明】
【００７６】
【図１】図１は、本発明の接続支援システムの構成を示す。（第１実施形態）
【図２】図２は、本発明の接続支援システムの情報処理端末の構成を示す。（第１実施形態）
【図３】図３は、本発明の接続支援システムの情報処理端末のプログラム用データベースに格納された内容を示す。（第１実施形態）
【図４】図４は、本発明の接続支援システムの接続支援サーバの構成を示す。（第１実施形態）
【図５】図５は、本発明の接続支援システムの接続支援サーバの接続支援データベースに格納された内容を示す。（第１実施形態）
【図６】図６は、本発明の接続支援システムの情報処理端末によって表示される画面を示す。（第１実施形態）
【図７】図７は、本発明の接続支援システムの動作を示すフローチャートである。（第１実施形態）
【図８】図８は、本発明の接続支援システムの動作として接続支援処理を示すフローチャートである。（第１実施形態）
【図９】図９は、本発明の接続支援システムの動作として接続支援処理の設定処理を示すフローチャートである。（第１実施形態）
【図１０】図１０は、本発明の接続支援システムの動作として接続支援処理の設定処理の許可処理を示すフローチャートである。（第１実施形態）
【図１１】図１１は、本発明の接続支援システムの動作として接続支援処理の設定処理の不許可処理を示すフローチャートである。（第１実施形態）
【図１２】図１２は、本発明の接続支援システムの動作として接続支援処理の設定処理の毎回問合処理を示すフローチャートである。（第１実施形態）
【図１３】図１３は、本発明の接続支援システムの情報処理端末のプログラム用データベースに格納された内容を示す。（第２実施形態）
【図１４】図１４は、図１３の一例を示す。（第２実施形態）
【図１５】図１５は、本発明の接続支援システムの接続支援サーバの構成を示す。（第２実施形態）
【図１６】図１６は、本発明の接続支援システムの接続支援サーバの接続支援データベースに格納された内容を示す。（第２実施形態）
【図１７】図１７は、本発明の接続支援システムの動作を示すフローチャートである。（第２実施形態）
【図１８】図１８は、本発明の接続支援システムの動作として接続支援処理を示すフローチャートである。（第２実施形態）
【図１９】図１９は、本発明の接続支援システムの動作として接続支援処理の設定処理を示すフローチャートである。（第２実施形態）
【図２０】図２０は、本発明の接続支援システムの動作として接続支援処理の設定処理の許可処理を示すフローチャートである。（第２実施形態）
【図２１】図２１は、本発明の接続支援システムの動作として接続支援処理の設定処理の不許可処理を示すフローチャートである。（第２実施形態）
【図２２】図２２は、本発明の接続支援システムの動作として接続支援処理の設定処理の毎回問合処理を示すフローチャートである。（第２実施形態）
【図２３】図２３は、本発明の接続支援システムの構成を示す。（第３実施形態）
【図２４】図２４は、本発明の接続支援システムの動作を示すフローチャートである。（第３実施形態）
【図２５】図２５は、本発明の接続支援システムの動作として接続支援処理を示すフローチャートである。（第３実施形態）
【図２６】図２６は、本発明の接続支援システムの動作として接続支援処理の設定処理を示すフローチャートである。（第３実施形態）
【符号の説明】
【００７７】
１−１〜１−ｍ    情報処理端末
２    接続支援サーバ
３    サーバ
３−１    メール設定サーバ
３−２    コンテンツサーバ
４    ネットワーク
１０    ＣＰＵ
１１    メモリ
１２    コンピュータプログラム
１３    通信部
１４    ファイアーウォール
１５    プログラム用データベース
１６    表示部
２０    ＣＰＵ
２１    メモリ
２２    コンピュータプログラム
２３    受信部
２４    検索部
２５    通知部
２６    接続支援データベース
３０    画面
３１    検索結果画面
３２    操作画面
３３    判定画面
４１    許可数表示欄
４２    不許可数表示欄
４３    毎回問合数表示欄
４４    許可割合表示欄
４５    不許可割合表示欄
４６    毎回問合割合表示欄
４７    判定結果表示欄
５１    許可ボタン
５２    不許可ボタン
５３    毎回問合ボタン
５４    閉ボタン
２６−１〜２６−ｍ    接続支援データベース
【図１】
2005107663.tif 000003
【図２】
2005107663.tif 000004
【図３】
2005107663.tif 000005
【図４】
2005107663.tif 000006
【図５】
2005107663.tif 000007
【図６】
2005107663.tif 000008
【図７】
2005107663.tif 000009
【図８】
2005107663.tif 000010
【図９】
2005107663.tif 000011
【図１０】
2005107663.tif 000012
【図１１】
2005107663.tif 000013
【図１２】
2005107663.tif 000014
【図１３】
2005107663.tif 000015
【図１４】
2005107663.tif 000016
【図１５】
2005107663.tif 000017
【図１６】
2005107663.tif 000018
【図１７】
2005107663.tif 000019
【図１８】
2005107663.tif 000020
【図１９】
2005107663.tif 000021
【図２０】
2005107663.tif 000022
【図２１】
2005107663.tif 000023
【図２２】
2005107663.tif 000024
【図２３】
2005107663.tif 000025
【図２４】
2005107663.tif 000026
【図２５】
2005107663.tif 000027
【図２６】
2005107663.tif 000028